(57)【要約】【課題】再生タイミングが合わされているべき音声信号と映像信号とのそれぞれが異なる伝送方式で伝送されることに起因して発生する再生音声と再生映像とのずれを適正に低減させることができる音声映像伝送システムを提供する。【解決手段】音声映像伝送装置１からは、映像信号は映像無線送信部１３から無線送信され、音声信号は音声出力部１８から有線伝送されるが、この場合、伝送された音声信号と映像信号との位相差が、これらの信号により再生される音声と映像とを視聴する視聴者により検知されることがない程度まで小さくなるように、音声映像伝送装置１に設けられた音声遅延部１７により音声信号を遅延させることにより調整する。【選択図】　　　　図１
2004088442.tif 000002
【特許請求の範囲】
【請求項１】
再生タイミングが合わせられて再生されるべき音声と映像とを提供するための音声信号と映像信号とをそれぞれ異なる伝送方式で伝送する音声映像伝送装置と、前記音声映像伝送装置から伝送される前記音声信号を受信する音声受信装置と、前記音声映像伝送装置から伝送される前記映像信号を受信する映像受信装置とを備える音声映像伝送システムであって、
前記音声映像伝送装置は、
伝送する前記音声信号を所定時間分遅延させる遅延手段を備え、
前記遅延手段は、前記音声映像伝送装置から伝送された前記音声信号と前記映像信号との位相差が、視聴者により検知される限度より小さくなるように決められる時間分、前記音声信号を遅延させることを特徴とする音声映像伝送システム。
【請求項２】
請求項１に記載の音声映像伝送システムであって、
前記音声映像伝送装置は、
使用者からの前記映像信号の転送レートの変更指示に応じて、前記映像信号の転送レートを変更するようにする転送レート変更手段と、
前記映像信号の転送レートに応じて、前記遅延手段における前記音声信号の前記遅延時間を制御する制御手段と
を備えることを特徴とする音声映像伝送システム。
【請求項３】
請求項１に記載の音声映像伝送システムであって、
前記音声映像伝送装置は、
前記映像信号の伝送環境の状態を検出する伝送状況検出手段と、
前記伝送状況検出手段からの検出結果に基づいて、自動的に前記映像信号の転送レートを変更するようにする自動転送レート変更手段と、
前記映像信号の転送レートに応じて、前記遅延手段における前記映像信号の前記遅延時間を制御する自動制御手段と
を備えることを特徴とする音声映像伝送システム。
【請求項４】
請求項１、請求項２または請求項３に記載音声映像伝送システムであって、
前記音声映像伝送装置は、
使用者からの前記遅延手段における前記音声信号の前記遅延時間についての調整指示に応じて、前記遅延時間を調整するようにする調整制御手段を備えることを特徴とする音声映像伝送システム。
【請求項５】
再生タイミングが合わせられて再生されるべき音声と映像とを提供するための音声信号と映像信号とをそれぞれ異なる伝送方式で伝送する音声映像伝送装置と、前記音声映像伝送装置から伝送される前記音声信号を受信する音声受信装置と、前記音声映像伝送装置から伝送される前記映像信号を受信する映像受信装置とを備える音声映像伝送システムであって、
前記音声受信装置は、
受信した前記音声信号を所定時間分遅延させる遅延手段を備え、
前記遅延手段は、前記音声映像伝送装置から伝送された前記音声信号と前記映像信号との位相差が、視聴者により検知される限度より低くなるように決められる時間分、前記音声信号を遅延させることを特徴とする音声映像伝送システム。
【請求項６】
請求項５に記載の音声映像伝送システムであって、
前記音声映像伝送装置からの前記映像信号の転送レートは、使用者からの変更指示に応じて、あるいは、前記映像信号の伝送環境の状況を自動検出しこれに応じて、変更することができるようにされており、
前記音声受信装置は、
前記音声映像伝送装置から伝送される前記映像信号の転送レートの通知を受け、前記映像信号の転送レートに応じて、前記遅延手段における前記音声信号の前記遅延時間を制御する制御手段と
を備えることを特徴とする音声映像伝送システム。
【請求項７】
請求項５または請求項６に記載の音声映像伝送システムであって、
前記音声受信装置は、
使用者からの前記遅延手段における前記音声信号の前記遅延時間についての調整指示に応じて、前記遅延時間を調整するようにする調整制御手段を備えることを特徴とする音声映像伝送システム。
【請求項８】
請求項１、請求項２、請求項３、請求項４、請求項５、請求項６または請求項７に記載の音声映像伝送システムであって、
前記音声映像伝送装置と前記映像受信装置とは、電波による無線伝送路により接続するようにし、
前記音声映像伝送装置と前記音声受信装置とは、有線伝送路により接続するようにすることを特徴とする音声映像伝送システム。
【請求項９】
請求項１、請求項２、請求項３、請求項４、請求項５、請求項６または請求項７に記載の音声映像伝送システムであって、
前記音声映像伝送装置と前記音声受信装置とは、デジタルの同軸信号あるいは光信号による有線伝送路により接続するようにすることを特徴とする音声映像伝送システム。
【請求項１０】
請求項１、請求項２、請求項３、請求項４、請求項５、請求項６または請求項７に記載の音声映像伝送システムであって、
前記音声映像伝送装置と前記音声受信装置とは、赤外線による無線伝送路により接続するようにすることを特徴とする音声映像伝送システム。
【請求項１１】
請求項１、請求項２、請求項３、請求項４、請求項５、請求項６または請求項７に記載の音声映像伝送システムであって、
前記遅延手段は、
デジタルオーディオインターフェース信号の入力を受け付けるデジタル入力端と、
前記デジタル入力端からの前記デジタルオーディオインターフェース信号をパラレル信号に変換するシリアル／パラレル変換手段と、
前記シリアル／パラレル変換手段からのパラレル信号を一時記憶するメモリと、
前記メモリからの前記パラレル信号をシリアル信号に変換して、元のデジタルオーディオインターフェース信号を復元するパラレル／シリアル変換手段と、
前記入力端からの前記デジタルオーディオインターフェース信号から少なくとも前記シリアル／パラレル変換手段に供給するクロック信号を生成するようにする第１のクロック信号生成手段と
を備え、
前記シリアル／パラレル変換手段と前記パラレル／シリアル変換手段との変換タイミングを制御することにより、入力された音声信号を所定時間分遅延させることを特徴とする音声映像伝送システム。
【請求項１２】
請求項１１に記載の音声映像伝送システムであって、
前記第１のクロック信号生成手段は、ビット・クロックＰＬＬ方式、あるいは、ワード・シンクＰＬＬ方式、あるいは、セカンドＰＬＬを用いたダブルＰＬＬ方式のいずれかのＰＬＬ部を有することを特徴とする音声映像伝送システム。
【請求項１３】
請求項１１または請求項１２に記載の音声映像伝送システムであって、
前記遅延手段は、
アナログ音声信号の入力を受け付けるアナログ入力端と、
前記アナログ入力端からの前記アナログ音声信号をデジタル音声信号に変換し、前記シリアル／パラレル変換手段に供給するアナログ／デジタル変換手段と、
前記パラレル／シリアル変換手段からのデジタル音声信号をアナログ信号に変換するデジタル／アナログ変換手段と
前記アナログ入力端からのアナログ音声信号を処理する場合に、前記アナログ／デジタル変換手段と、前記シリアル／パラレル変換手段と、前記メモリと、前記パラレル／シリアル変換手段と、前記デジタル／アナログ変換手段とに供給するクロック信号を発振器からの基準クロック信号に基づいて生成する第２のクロック信号生成手段と
を備えることを特徴とする音声映像伝送システム。
【請求項１４】
請求項１、請求項２、請求項３、請求項４、請求項５、請求項６または請求項７に記載の
音声映像伝送システムであって、
前記遅延手段は、
アナログ音声信号の入力を受け付けるアナログ入力端と、
前記アナログ入力端からの前記アナログ音声信号をデジタル音声信号に変換するアナログ／デジタル変換手段と、
前記アナログ／デジタル変換手段からの前記デジタル音声信号をパラレル信号に変換するシリアル／パラレル変換手段と、
前記シリアル／パラレル変換手段からのパラレル信号を一時記憶するメモリと、
前記メモリからの前記パラレル信号をシリアル信号に変換して、元のデジタル音声信号を復元するパラレル／シリアル変換手段と、
前記パラレル／シリアル変換手段からのデジタル音声信号をアナログ信号に変換するデジタル／アナログ変換手段と、
前記アナログ入力端からのアナログ音声信号を処理する場合に、前記アナログ／デジタル変換手段と、前記シリアル／パラレル変換手段と、前記メモリと、前記パラレル／シリアル変換手段と、前記デジタル／アナログ変換手段に供給するクロック信号を発振器からの基準クロック信号に基づいて生成するクロック信号生成手段と
を備えることを特徴とする音声映像伝送システム。
【請求項１５】
再生タイミングが合わせられて再生されるべき音声と映像とを提供するための音声信号と映像信号とをそれぞれ異なる伝送方式で伝送する音声映像伝送装置であって、伝送する前記音声信号を所定時間分遅延させる遅延手段を備え、
前記遅延手段は、前記音声映像伝送装置から伝送された前記音声信号と前記映像信号との位相差が、視聴者により検知される限度より低くなるように決められる時間分、前記音声信号を遅延させることを特徴とする音声映像伝送装置。
【請求項１６】
請求項１５に記載の音声映像伝送装置であって、
使用者からの前記映像信号の転送レートの変更指示を受け付ける変更指示受付手段と、
前記変更指示受付手段を通じて受け付けた前記変更指示に応じて、前記映像信号の転送レートを変更するようにする転送レート変更手段と、
前記映像信号の転送レートに応じて、前記遅延手段における前記音声信号の前記遅延時間を制御する制御手段と
を備えることを特徴とする音声映像伝送装置。
【請求項１７】
請求項１５に記載の音声映像伝送装置であって、
前記映像信号の伝送環境の状態を検出する伝送状況検出手段と、
前記伝送状況検出手段からの検出結果に基づいて、自動的に前記映像信号の転送レートを変更するようにする自動転送レート変更手段と、
前記映像信号の転送レートに応じて、前記遅延手段における前記映像信号の前記遅延時間を制御する自動制御手段と
を備えることを特徴とする音声映像伝送装置。
【請求項１８】
請求項１５、請求項１６または請求項１７に記載の音声映像伝送装置であって、
使用者からの前記遅延手段における前記音声信号の前記遅延時間についての調整指示を受け付ける調整指示受付手段と、
前記調整指示受付手段を通じて受け付けた前記調整指示に応じて、前記遅延時間を調整するようにする調整制御手段と
を備えることを特徴とする音声映像伝送装置。
【請求項１９】
請求項１５、請求項１６、請求項１７または請求項１８に記載の音声映像伝送装置であって、
前記映像信号を電波により無線伝送する無線送信手段と、
前記音声映像伝送装置と前記音声受信装置とを接続する有線伝送路に、前記音声信号を送出する有線送信手段と
を備えることを特徴とする音声映像伝送装置。
【請求項２０】
請求項１５、請求項１６、請求項１７または請求項１８に記載の音声映像伝送装置であって、
前記音声信号をデジタルの同軸信号、あるいは、光信号として有線伝送する同軸信号送信手段、あるいは、光信号送信手段を備えることを特徴とする音声映像伝送装置。
【請求項２１】
請求項１５、請求項１６、請求項１７または請求項１８に記載の音声映像伝送装置であって、
前記音声信号を赤外線による無線伝送手段を備えることを特徴とする音声映像伝送装置。
【請求項２２】
請求項１５、請求項１６、請求項１７または請求項１８に記載の音声映像伝送装置であって、
前記遅延手段は、
デジタルオーディオインターフェース信号の入力を受け付けるデジタル入力端と、
前記デジタル入力端からの前記デジタルオーディオインターフェース信号をパラレル信号に変換するシリアル／パラレル変換手段と、
前記シリアル／パラレル変換手段からのパラレル信号を一時記憶するメモリと、
前記メモリからの前記パラレル信号をシリアル信号に変換して、元のデジタルオーディオインターフェース信号を復元するパラレル／シリアル変換手段と、
前記入力端からの前記デジタルオーディオインターフェース信号から少なくとも前記シリアル／パラレル変換手段に供給するクロック信号を生成するようにする第１のクロック信号生成手段と
を備え、
前記シリアル／パラレル変換手段と前記パラレル／シリアル変換手段との変換タイミングを制御することにより、入力された音声信号を所定時間分遅延させることを特徴とする音声映像伝送装置。
【請求項２３】
請求項２２に記載の音声映像伝送装置であって、
前記第１のクロック信号生成手段は、ビット・クロックＰＬＬ方式、あるいは、ワード・シンクＰＬＬ方式、あるいは、セカンドＰＬＬを用いたダブルＰＬＬ方式のいずれかのＰＬＬ部を有することを特徴とする音声映像伝送システム。
【請求項２４】
請求項２２または請求項２３に記載の音声映像伝送装置であって、
前記遅延手段は、
アナログ音声信号の入力を受け付けるアナログ入力端と、
前記アナログ入力端からの前記アナログ音声信号をデジタル音声信号に変換し、前記シリアル／パラレル変換手段に供給するアナログ／デジタル変換手段と、
前記パラレル／シリアル変換手段からのデジタル音声信号をアナログ信号に変換するデジタル／アナログ変換手段と
前記アナログ入力端からのアナログ音声信号を処理する場合に、前記アナログ／デジタル変換手段と、前記シリアル／パラレル変換手段と、前記メモリと、前記パラレル／シリアル変換手段と、前記デジタル／アナログ変換手段に供給するクロック信号を発振器からの基準クロック信号に基づいて生成する第２のクロック信号生成手段と
を備えることを特徴とする音声映像伝送装置。
【請求項２５】
請求項１５、請求項１６、請求項１７または請求項１８に記載の音声映像伝送装置であって、
前記遅延手段は、
アナログ音声信号の入力を受け付けるアナログ入力端と、
前記アナログ入力端からの前記アナログ音声信号をデジタル音声信号に変換するアナログ／デジタル変換手段と、
前記アナログ／デジタル変換手段からの前記デジタル音声信号をパラレル信号に変換するシリアル／パラレル変換手段と、
前記シリアル／パラレル変換手段からのパラレル信号を一時記憶するメモリと、
前記メモリからの前記パラレル信号をシリアル信号に変換して、元のデジタル音声信号を復元するパラレル／シリアル変換手段と、
前記パラレル／シリアル変換手段からのデジタル音声信号をアナログ信号に変換するデジタル／アナログ変換手段と、
前記アナログ入力端からのアナログ音声信号を処理する場合に、前記アナログ／デジタル変換手段と、前記シリアル／パラレル変換手段と、前記メモリと、前記パラレル／シリアル変換手段と、前記デジタル／アナログ変換手段に供給するクロック信号を発振器からの基準クロック信号に基づいて生成するクロック信号生成手段と
を備えることを特徴とする音声映像伝送装置。
【請求項２６】
再生タイミングが合わせられて再生されるべき音声と映像とを提供するための音声信号と映像信号とをそれぞれ異なる伝送方式で伝送する音声映像伝送装置から伝送される前記音声信号を受信する音声受信装置であって、
受信した前記音声信号を所定時間分遅延させる遅延手段を備え、
前記遅延手段は、前記音声映像伝送装置から伝送された前記音声信号と前記映像信号との位相差が、視聴者により検知される限度より低くなるように決められる時間分、前記音声信号を遅延させることを特徴とする音声受信装置。
【請求項２７】
請求項２６に記載の音声受信装置であって、
前記音声映像伝送装置からの前記映像信号の転送レートは、使用者からの変更指示入力に応じて、あるいは、前記映像信号の伝送環境の状況を自動検出しこれに応じて、変更することができるようにされており、
前記音声映像伝送装置から伝送される前記映像信号の転送レートの通知を受け、前記映像信号の転送レートに応じて、前記遅延手段における前記音声信号の前記遅延時間を制御する制御手段とを備えることを特徴とする音声受信装置。
【請求項２８】
請求項２６または請求項２７に記載の音声受信装置であって、
使用者からの前記遅延手段における前記音声信号の前記遅延時間についての調整指示入力に応じて、前記遅延時間を調整するようにする調整制御手段を備えることを特徴とする音声受信装置。
【請求項２９】
請求項２６、請求項２７または請求項２８に記載の音声受信装置であって、
前記遅延手段は、
デジタルオーディオインターフェース信号の入力を受け付けるデジタル入力端と、
前記デジタル入力端からの前記デジタルオーディオインターフェース信号をパラレル信号に変換するシリアル／パラレル変換手段と、
前記シリアル／パラレル変換手段からのパラレル信号を一時記憶するメモリと、
前記メモリからの前記パラレル信号をシリアル信号に変換して、元のデジタルオーディオインターフェース信号を復元するパラレル／シリアル変換手段と、
前記入力端からの前記デジタルオーディオインターフェース信号から少なくとも前記シリアル／パラレル変換手段に供給するクロック信号を生成するようにする第１のクロック信号生成手段と
を備え、
前記シリアル／パラレル変換手段と前記パラレル／シリアル変換手段との変換タイミングを制御することにより、入力された音声信号を所定時間分遅延させることを特徴とする音声受信装置。
【請求項３０】
請求項２９に記載の音声受信装置であって、
前記第１のクロック信号生成手段は、ビット・クロックＰＬＬ方式、あるいは、ワード・シンクＰＬＬ方式、あるいは、セカンドＰＬＬを用いたダブルＰＬＬ方式のいずれかのＰＬＬ部を有することを特徴とする音声受信装置。
【請求項３１】
請求項２６、請求項２７または請求項２８に記載の音声映像伝送システムであって、
前記遅延手段は、
アナログ音声信号の入力を受け付けるアナログ入力端と、
前記アナログ入力端からの前記アナログ音声信号をデジタル音声信号に変換し、前記シリアル／パラレル変換手段に供給するアナログ／デジタル変換手段と、
前記パラレル／シリアル変換手段からのデジタル音声信号をアナログ信号に変換するデジタル／アナログ変換手段と
前記アナログ入力端からのアナログ音声信号を処理する場合に、前記アナログ／デジタル変換手段と、前記シリアル／パラレル変換手段と、前記メモリと、前記パラレル／シリアル変換手段と、前記デジタル／アナログ変換手段に供給するクロック信号を発振器からの基準クロック信号に基づいて生成する第２のクロック信号生成手段と
を備えることを特徴とする音声受信装置。
【請求項３２】
請求項２６、請求項２７または請求項２８に記載の音声受信装置であって、
アナログ音声信号の入力を受け付けるアナログ入力端と、
前記遅延手段は、
前記アナログ入力端からの前記アナログ音声信号をデジタル音声信号に変換するアナログ／デジタル変換手段と、
前記アナログ／デジタル変換手段からの前記デジタル音声信号をパラレル信号に変換するシリアル／パラレル変換手段と、
前記シリアル／パラレル変換手段からのパラレル信号を一時記憶するメモリと、
前記メモリからの前記パラレル信号をシリアル信号に変換して、元のデジタル音声信号を復元するパラレル／シリアル変換手段と、
前記パラレル／シリアル変換手段からのデジタル音声信号をアナログ信号に変換するデジタル／アナログ変換手段と、
前記アナログ入力端からのアナログ音声信号を処理する場合に、前記アナログ／デジタル変換手段と、前記シリアル／パラレル変換手段と、前記メモリと、前記パラレル／シリアル変換手段と、前記デジタル／アナログ変換手段に供給するクロック信号を発振器からの基準クロック信号に基づいて生成するクロック信号生成手段と
を備えることを特徴とする音声伝送装置。
【発明の詳細な説明】
【０００１】
【発明の属する技術分野】
この発明は、例えば、ホームシアターシステムなどの音声映像伝送システム、このシステムに用いられる音声映像伝送装置、音声受信装置に関する。
【０００２】
【従来の技術】
一般に、家庭において、ホームシアターシステムを構築する場合には、例えば、映像信号はフロントプロジェクター機器で再生し、音声信号は５．１チャンネルスピーカシステムで再生するなど、複数のＡＶ機器が必要になる。この場合、映像信号や音声信号は、有線伝送媒体で接続される各ＡＶ機器間を伝達されることになる。
【０００３】
図１４は、従来のホームシアターシステム（音声映像伝送システム）の構成例を示すブロック図である。図１４に示すように、この従来の例のホームシアターシステムは、いわゆるＡＶスイッチャー等の音声・映像伝送機器１００、ＣＲＴ等の映像表示機器２００、５．１チャンネルのオーディオアンプ等の音声増幅機器３００、スピーカー４００、ＤＶＤ（Ｄｉｇｉｔａｌ　Ｖｅｒｓａｔｉｌｅ　Ｄｉｓｋ）等の音声・映像発生機器５００からなるものである。
【０００４】
図１４に示すように、この従来の例のホームシアターシステムにおいては、音声・映像発生機器５００と音声・映像伝送機器１００とは、映像用有線６０１と音声用有線６０２とにより接続されている。また、音声・映像伝送機器１００と映像表示機器２００とは、映像用有線６０３により接続され、音声・映像伝送機器１００と音声増幅機器３００とは、音声用有線６０４に接続されている。また、音声増幅機器３００とスピーカー４００とも有線で接続される。
【０００５】
そして、音声・映像発生機器５００の映像信号出力部５０１からの映像信号は、映像用有線６０１を通じて音声・映像伝送機器１００に供給される。音声・映像伝送機器１００は、映像入力部１０１により音声・映像発生機器５００からの映像信号を受け付け、これを制御部１０４により制御される映像信号処理部１０２と、映像送信部１０３とを通じて映像用有線６０３に出力する。
【０００６】
音声・映像伝送機器１００からの映像信号は、映像用有線６０３を通じて映像表示機器２００に供給される。映像表示機器２００においては、音声・映像伝送機器１００からの映像信号を映像受信部２０１を通じて受け付け、これを映像駆動回路２０２を通じてディスプレイ２０３に供給することにより、音声・映像発生機器５００からの映像信号に応じた映像が、ディスプレイ２０３に表示される。
【０００７】
同様に、音声・映像発生機器５００の音声信号出力部５０２からの音声信号は、音声用有線６０２を通じて音声・映像伝送機器１００に供給される。音声・映像伝送機器１００においては、音声入力部１０５により音声・映像発生機器５００からの音声信号を受け付け、これを制御部１０４により制御される音声信号処理部１０６と、音声送信部１０７とを通じて音声用有線６０４に出力する。
【０００８】
音声・映像伝送機器１００からの音声信号は、この音声用有線６０４を通じて音声増幅機器３００に供給される。音声増幅機器３００においては、音声・映像伝送機器１００からの音声信号を音声受信部３０１を通じて受け付け、これを音声駆動回路３０２を通じてスピーカー４００に供給することにより、音声・映像発生機器５００からの音声信号に応じた音声が、スピーカー４００から放音される。
【０００９】
このようにして、音声・映像発生機器５００からの映像信号、音声信号に応じた映像と音声とが、ディスプレイ２０３とスピーカー４００とを通じて出力するようにされ、比較的に大きな画面のディスプレイ２０３と、例えば、マルチチャンネル方式の音声増幅機器３００とスピーカー４００とにより、臨場感のある映像と音声を楽しむことができるようにされる。
【００１０】
【発明が解決しようとする課題】
ところで、図１４を用いて上述したように、ホームシアターシステムなどの従来の音声映像伝送システムにおいては、各ＡＶ機器間を有線で接続することにより、確実かつ安定に映像信号や音声信号を伝送し、しかも本来再生タイミングが合わせられているべき映像信号による映像と音声信号による音声との再生タイミングがずれることもない。つまり、映像信号と音声信号との間にその伝送過程において位相差が生じることがなく、両者間における同期がずれることもない。
【００１１】
しかしこの場合、ＡＶ機器間を接続するケーブルの引き回しが面倒であるという問題がある。また、引き回されたケーブルが室内に露出するなどして、ＡＶ機器を設置する部屋の美観を損ねてしまうという問題がある。
【００１２】
近年においては、各ＡＶ機器間における映像信号や音声信号の伝送技術として、電波による無線伝送技術が急激に進歩している。無線伝送で伝送可能な映像信号や音声信号の転送レートも、充分に視聴を楽しむことが可能なレベルに達してきている。
【００１３】
そこで、各ＡＶ機器間を接続する伝送媒体として、同軸ケーブルなどの有線よりも、電波による無線伝送を用いることにより、ケーブルの引き回しの手間を最小限にするとともに、各ＡＶ機器の設置位置の自由度を向上させ、さらに部屋の美観を損なうことも無いようにすることが考えられている。
【００１４】
しかしながら、音声映像伝送システムにおいて、無線伝送を実現する場合、無線伝送中の転送エラーを軽減し、安定して、映像信号又は音声信号を伝送するために、無線送信手段と無線受信手段とにメモリによるバッファーを備える必要がある。そのため、銅などの導体による有線伝達媒体で、映像信号又は音声信号を伝送する場合に比べて、伝送に時間がかかる。
【００１５】
例えば、図１４に示した従来の音声映像伝送システムにおいて、音声・映像伝送機器１００と映像表示機器３００とを接続する伝送媒体６０１を無線伝送媒体とし、音声・映像伝送機器１００と音声増幅機器３００とを接続する伝送媒体を同軸ケーブルなどの有線伝送媒体とするなど、映像信号と音声信号とを異なる伝送方式で伝送することが考えられる。
【００１６】
この場合、映像信号と音声信号とのそれぞれは、無線伝送媒体と有線伝送媒体という伝送方式の異なる２つの伝送媒体を通じてそのそれぞれが伝送されることになり、映像信号と音声信号との伝送過程において、両者の間に位相差が発生する。
【００１７】
そして、映像表示機器２００に無線伝送された映像信号に応じた映像がディスプレイ２０３に表示され、音声増幅機器３００に有線伝送された音声信号に応じた音声がスピーカー４００から放音されると、映像信号と音声信号との間に発生した上述の位相差は、映像と音声の位相差であるいわゆるリップシンク（映像と音声のずれ）として、音声映像伝送システムの使用者（ユーザ）に認識されてしまい、使用者に違和感を与えてしまう可能性がある。
【００１８】
このように、複数のＡＶ機器を用いて構成するホームネットワークシステムなどの音声映像伝送システムにおいては、映像信号の伝送方式と音声信号の伝送方式とが異なる箇所があると、いわゆるリップシンクが発生するという問題があり、これを解決する方策が求められている。
【００１９】
以上のことにかんがみ、この発明は、本来、再生タイミングが合わせられて再生されるべき音声と映像とを提供する音声信号と映像信号とのそれぞれが異なる伝送方式で伝送されることに起因して発生する再生音声と再生映像とのずれを適正に低減させるとともに、使用者にとって使い勝手がよく、かつ、信頼性の高い音声映像伝送システム、音声映像伝送装置および音声受信装置を提供することを目的とする。
【００２０】
【課題を解決するための手段】
上記課題を解決するため、請求項１に記載の発明の音声映像伝送システムは、
再生タイミングが合わせられて再生されるべき音声と映像とを提供するための音声信号と映像信号とをそれぞれ異なる伝送方式で伝送する音声映像伝送装置と、前記音声映像伝送装置から伝送される前記音声信号を受信する音声受信装置と、前記音声映像伝送装置から伝送される前記映像信号を受信する映像受信装置とを備える音声映像伝送システムであって、
前記音声映像伝送装置は、
伝送する前記音声信号を所定時間分遅延させる遅延手段を備え、
前記遅延手段は、前記音声映像伝送装置から伝送された前記音声信号と前記映像信号との位相差が、視聴者により検知される限度より小さくなるように決められる時間分、前記音声信号を遅延させることを特徴とする。
【００２１】
この請求項１に記載の発明の音声映像伝送システムによれば、音声映像伝送装置からは、本来再生タイミングが合わせられて処理されるべき音声信号と映像信号信号とがそれぞれ異なる伝送方式で伝送するようにされる。この場合、伝送された音声信号と映像信号との位相差が、これらの信号により再生される音声と映像とを視聴する視聴者により検知されることがない程度まで小さくなるように、音声映像伝送装置に設けられた遅延手段により音声信号を遅延させる。
【００２２】
これにより、再生映像と再生音声とがずれるいわゆるリップシンクを低減させ、視聴者に対して違和感を与えることが無いようにして、再生映像と再生音声とを提供することが可能な音声映像伝送システムを実現することができるようにされる。
【００２３】
また、請求項２に記載の発明の音声映像伝送システムは、請求項１に記載の音声映像伝送システムであって、
前記音声映像伝送装置は、
使用者からの前記映像信号の転送レートの変更指示に応じて、前記映像信号の転送レートを変更するようにする転送レート変更手段と、
前記映像信号の転送レートに応じて、前記遅延手段における前記音声信号の前記遅延時間を制御する制御手段と
を備えることを特徴とする。
【００２４】
この請求項２に記載の発明の音声映像伝送システムによれば、転送レート変換手段により、映像信号の転送レートが使用者からの指示に応じて変更することができるようにされる。この場合、制御手段により、映像信号の最新の状態の転送レートに応じて、遅延手段における音声信号の遅延時間が制御される。
【００２５】
これにより、映像信号の転送レートを使用者に解放した場合であっても、遅延手段における音声信号の遅延時間（遅延量）を常に適正に調整することができるようにされる。
【００２６】
また、請求項３に記載の音声映像伝送システムは、請求項１に記載の音声映像伝送システムであって、
前記音声映像伝送装置は、
前記映像信号の伝送環境の状態を検出する伝送状況検出手段と、
前記伝送状況検出手段からの検出結果に基づいて、自動的に前記映像信号の転送レートを変更するようにする自動転送レート変更手段と、
前記映像信号の転送レートに応じて、前記遅延手段における前記映像信号の前記遅延時間を制御する自動制御手段と
を備えることを特徴とする。
【００２７】
この請求項３に記載の発明の音声映像伝送システムによれば、音声映像伝送装置と映像受信装置との間の伝送環境の状態が、音声映像伝送装置の伝送状況検出手段により検出される。伝送状況検出手段は、例えば、映像受信装置から応答情報などを送信するようにし、この応答情報を受信して、例えば、受信信号におけるＳ／Ｎ比（信号対ノイズ比）やエラーレート（エラー率）により検出することができる。
【００２８】
そして、自動転送レート変更手段により、伝送状況検出手段からの検出結果に応じて、映像信号の転送レートが自動的に変えられるようにされる。このように、自動的に変更するようにされる転送レートに応じて、自動制御手段によって、遅延手段における音声信号の遅延時間が制御される。
【００２９】
これにより、映像信号の転送レートを自動的に適正なものにすることができるようにされている場合であっても、遅延手段における音声信号の遅延時間（遅延量）を転送レートに応じて常に適正に調整することができるようにされる。
【００３０】
また、請求項４に記載の発明の音声映像伝送システムは、請求項１、請求項２または請求項３に記載の音声映像伝送システムであって、
前記音声映像伝送装置は、
使用者からの前記遅延手段における前記音声信号の前記遅延時間についての調整指示に応じて、前記遅延時間を調整するようにする調整制御手段を備えることを特徴とする。
【００３１】
この請求項４に記載の発明の音声映像伝送システムによれば、使用者からの調整指示に応じて、調整制御手段により、遅延手段においての音声信号の遅延時間を調整することができるようにされる。
【００３２】
これにより、音声信号と映像信号との間に生じるごく僅かな位相差をも敏感に感じ取る使用者も、これを調整することができるようにされ、良好に再生音声と再生映像とを視聴できるようにする音声映像伝送システムを提供することができるようにされる。
【００３３】
また、請求項５に記載の発明の音声映像伝送システムは、
再生タイミングが合わせられて再生されるべき音声と映像とを提供するための音声信号と映像信号とをそれぞれ異なる伝送方式で伝送する音声映像伝送装置と、前記音声映像伝送装置から伝送される前記音声信号を受信する音声受信装置と、前記音声映像伝送装置から伝送される前記映像信号を受信する映像受信装置とを備える音声映像伝送システムであって、
前記音声受信装置は、
受信した前記音声信号を所定時間分遅延させる遅延手段を備え、
前記遅延手段は、前記音声映像伝送装置から伝送された前記音声信号と前記映像信号との位相差が、視聴者により検知される限度より低くなるように決められる時間分、前記音声信号を遅延させることを特徴とする。
【００３４】
この請求項５に記載の発明の音声映像伝送システムによれば、音声映像伝送装置からは、音声信号と映像信号信号とがそれぞれ異なる伝送方式で伝送するようにされる。この場合、伝送された音声信号と映像信号との位相差が、これらの信号により再生される音声と映像とを視聴する視聴者により検知されることがない程度まで小さくなるように、音声受信装置に設けられた遅延手段により音声信号を遅延させる。
【００３５】
これにより、再生映像と再生音声とがずれるいわゆるリップシンクを低減させ、視聴者に対して違和感を与えることが無いようにして、再生映像と再生音声とを提供することが可能な音声映像伝送システムを実現することができるようにされる。
【００３６】
また、請求項６に記載の発明の音声映像伝送システムは、請求項５に記載の音声映像伝送システムであって、
前記音声映像伝送装置からの前記映像信号の転送レートは、使用者からの変更指示に応じて、あるいは、前記映像信号の伝送環境の状況を自動検出しこれに応じて、変更することができるようにされており、
前記音声受信装置は、
前記音声映像伝送装置から伝送される前記映像信号の転送レートの通知を受け、前記映像信号の転送レートに応じて、前記遅延手段における前記音声信号の前記遅延時間を制御する制御手段と
を備えることを特徴とする。
【００３７】
この請求項６に記載の発明の音声映像伝送システムによれば、映像信号の転送レートは、使用者からの指示に応じて、あるいは、伝送環境の状況に応じて自動的に、変更することができるようにされている。この場合、音声映像伝送装置から映像信号の転送レートの通知を受けて、制御手段により、映像信号の最新の状態の転送レートに応じて、遅延手段における音声信号の遅延時間が制御される。
【００３８】
これにより、映像信号の転送レートが使用者に解放されている場合であっても、遅延手段における音声信号の遅延時間（遅延量）を常に適正に調整することができるようにされる。
【００３９】
また、請求項７に記載の発明の音声映像伝送システムは、請求項５または請求項６に記載の音声映像伝送システムであって、
前記音声受信装置は、
使用者からの前記遅延手段における前記音声信号の前記遅延時間についての調整指示に応じて、前記遅延時間を調整するようにする調整制御手段を備えることを特徴とする　。
【００４０】
この請求項７に記載の発明の音声映像伝送システムによれば、使用者からの調整指示に応じて、調整制御手段により、遅延手段においての音声信号の遅延時間を調整することができるようにされる。
【００４１】
これにより、例えば、音声信号と映像信号との間に生じるごく僅かな位相差をも敏感に感じ取る使用者であっても、音声信号の遅延時間を調整することができるようにされ、良好に再生音声と再生映像とを視聴できる音声映像伝送システムを提供することができるようにされる。
【００４２】
また、請求項８に記載の発明の発明の音声映像伝送システムは、請求項１、請求項２、請求項３、請求項４、請求項５、請求項６または請求項７に記載の音声映像伝送システムであって、
前記音声映像伝送装置と前記映像受信装置とは、電波による無線伝送路により接続するようにし、
前記音声映像伝送装置と前記音声受信装置とは、有線伝送路により接続するようにすることを特徴とする。
【００４３】
この請求項８に記載の発明の音声映像伝送システムによれば、映像信号は電波による無線伝送により、また、音声信号は有線伝送により伝送するようにされるが、この場合に生じる音声信号と映像信号との位相差も音声信号の遅延手段により低減することができるようにされる。
【００４４】
これにより、音声信号と映像信号とが有線伝送と電波による無線伝送というように、全く異なる伝送方式を用いて伝送する場合であっても、音声信号を遅延させる遅延手段の機能により、遅延音声信号と映像信号との位相差を低減させることができ、良好に再生音声と再生映像とを視聴することができる音声映像伝送システムを提供することができる。
【００４５】
また、請求項９に記載の発明の音声映像伝送システムは、請求項１、請求項２、請求項３、請求項４、請求項５、請求項６または請求項７に記載の音声映像伝送システムであって、
前記音声映像伝送装置と前記音声受信装置とは、デジタルの同軸信号あるいは光信号による有線伝送路により接続するようにすることを特徴とする。
【００４６】
この請求項９に記載の発明の音声映像伝送システムによれば、音声信号はデジタル同軸信号、あるいは、光信号による有線伝送路により伝送されるが、この場合でも、音声信号を遅延させる遅延手段の機能により、遅延音声信号と映像信号との位相差を低減させることができ、良好に再生音声と再生映像とを視聴することができる音声映像伝送システムを提供することができる。
【００４７】
また、請求項１０に記載の発明の音声映像伝送システムは、請求項１、請求項２、請求項３、請求項４、請求項５、請求項６または請求項７に記載の音声映像伝送システムであって、
前記音声映像伝送装置と前記音声受信装置とは、赤外線による無線伝送路により接続するようにすることを特徴とする。
【００４８】
この請求項１０に記載の発明の音声映像伝送システムによれば、音声信号は赤外線による無線伝送路により伝送されるが、この場合でも、音声信号を遅延させる遅延手段の機能により、遅延音声信号と映像信号との位相差を低減させることができ、良好に再生音声と再生映像とを視聴することができる音声映像伝送システムを提供することができる。
【００４９】
また、請求項１１に記載の発明の音声映像伝送システムは、請求項１、請求項２、請求項３、請求項４、請求項５、請求項６または請求項７に記載の音声映像伝送システムであって、
前記遅延手段は、
デジタルオーディオインターフェース信号の入力を受け付けるデジタル入力端と、
前記デジタル入力端からの前記デジタルオーディオインターフェース信号をパラレル信号に変換するシリアル／パラレル変換手段と、
前記シリアル／パラレル変換手段からのパラレル信号を一時記憶するメモリと、
前記メモリからの前記パラレル信号をシリアル信号に変換して、元のデジタルオーディオインターフェース信号を復元するパラレル／シリアル変換手段と、
前記入力端からの前記デジタルオーディオインターフェース信号から少なくとも前記シリアル／パラレル変換手段に供給するクロック信号を生成するようにする第１のクロック信号生成手段と
を備え、
前記シリアル／パラレル変換手段と前記パラレル／シリアル変換手段との変換タイミングを制御することにより、入力された音声信号を所定時間分遅延させることを特徴とする。
【００５０】
この請求項１１に記載の発明の音声映像伝送システムによれば、音声を遅延させる遅延手段は、デジタルオーディオインターフェース信号を適正に遅延させるため、シリアル／パラレル変換手段と、メモリと、パラレル／シリアル変換手段とからなり、少なくとも、シリアル／パラレル変換手段に供給されるクロック信号は、第１のクロック信号生成手段により、遅延対象のデジタルオーディオインターフェース信号に基づいて生成される。
【００５１】
これにより、デジタルオーディオインターフェース信号が供給された場合であってもこれを適正に遅延処理し、伝送方式が異なることにより発生する音声信号と映像信号との間の位相差を低減させることが可能な音声映像伝送システムを構築することができるようにされる。
【００５２】
また、請求項１２に記載の発明の音声映像伝送システムは、請求項１１に記載の音声映像伝送システムであって、
前記第１のクロック信号生成手段は、ビット・クロックＰＬＬ方式、あるいは、ワード・シンクＰＬＬ方式、あるいは、セカンドＰＬＬを用いたダブルＰＬＬ方式のいずれかのＰＬＬ部を有することを特徴とする。
【００５３】
この請求項１２に記載の発明の音声映像伝送システムによれば、第１のクロック信号生成手段は、ビット・クロックＰＬＬ方式、ワード・シンクＰＬＬ方式、セカンドＰＬＬを用いたダブルＰＬＬ方式のいずれかが用いられて構成される。
【００５４】
これにより、デジタルオーディオインターフェース信号から効率よくクロック信号を形成することができる。また、どのＰＬＬ方式を用いるかは、音質の高品位化あるいは製造コストの観点から適切なものを選択することができるようにされる。
【００５５】
また、請求項１３に記載の発明の音声映像伝送システムは、請求項１１または請求項１２に記載の音声映像伝送システムであって、
前記遅延手段は、
アナログ音声信号の入力を受け付けるアナログ入力端と、
前記アナログ入力端からの前記アナログ音声信号をデジタル音声信号に変換し、前記シリアル／パラレル変換手段に供給するアナログ／デジタル変換手段と、
前記パラレル／シリアル変換手段からのデジタル音声信号をアナログ信号に変換するデジタル／アナログ変換手段と
前記アナログ入力端からのアナログ音声信号を処理する場合に、前記アナログ／デジタル変換手段と、前記シリアル／パラレル変換手段と、前記メモリと、前記パラレル／シリアル変換手段と、前記デジタル／アナログ変換手段に供給するクロック信号を発振器からの基準クロック信号に基づいて生成する第２のクロック信号生成手段と
を備えることを特徴とする。
【００５６】
この請求項１３に記載の発明の音声映像伝送システムによれば、音声を遅延させる遅延手段は、アナログ／デジタル変換手段と、デジタル／アナログ変換手段と、第２のクロック生成手段とを備えることにより、デジタル音声信号であってもアナログ音声信号であってもこれを適正に遅延させることができるようにされる。
【００５７】
これにより、デジタル音声信号が供給された場合であっても、また、アナログ音声信号が供給された場合であっても、これらを適正に遅延処理することが可能なハイブリッドな音声映像伝送システムを構築することができるようにされる。
【００５８】
また、請求項１４に記載の発明の音声映像伝送システムは、請求項１、請求項２、請求項３、請求項４、請求項５、請求項６または請求項７に記載の音声映像伝送システムであって、
前記遅延手段は、
アナログ音声信号の入力を受け付けるアナログ入力端と、
前記アナログ入力端からの前記アナログ音声信号をデジタル音声信号に変換するアナログ／デジタル変換手段と、
前記アナログ／デジタル変換手段からの前記デジタル音声信号をパラレル信号に変換するシリアル／パラレル変換手段と、
前記シリアル／パラレル変換手段からのパラレル信号を一時記憶するメモリと、
前記メモリからの前記パラレル信号をシリアル信号に変換して、元のデジタル音声信号を復元するパラレル／シリアル変換手段と、
前記パラレル／シリアル変換手段からのデジタル音声信号をアナログ信号に変換するデジタル／アナログ変換手段と、
前記アナログ入力端からのアナログ音声信号を処理する場合に、前記アナログ／デジタル変換手段と、前記シリアル／パラレル変換手段と、前記メモリと、前記パラレル／シリアル変換手段と、前記デジタル／アナログ変換手段に供給するクロック信号を発振器からの基準クロック信号に基づいて生成するクロック信号生成手段と
を備えることを特徴とする
この請求項１４に記載の発明の音声映像伝送システムによれば、音声を遅延させる遅延手段は、アナログ音声信号をデジタル信号に変換することにより、デジタル音声信号が供給された場合と同様にして、これを適正に遅延させることができるようにされる。
【００５９】
これにより、アナログ音声信号が供給された場合であってもこれを適正に遅延処理することが可能な音声映像伝送システムを構築することができるようにされる。
【００６０】
【発明の実施の形態】
以下、図を参照しながら、この発明による音声映像伝送システム、音声映像伝送装置、音声受信装置の一実施の形態について説明する。以下においては、この発明による音声映像伝送システム、音声映像伝送装置、音声受信装置を家庭に構築されるホームシアターシステムに適用した場合を例にして説明する。
【００６１】
［第１の実施の形態］
［ホームシアターシステムの構成について］
図１は、この第１の実施の形態のホームシアターシステムを説明するためのブロック図である。図１に示すように、この第１の実施の形態のホームシアターシステムは、ＡＶスイッチャー等の音声・映像伝送機器１と、ＣＲＴやプロジェクターなどの映像表示機器２と、５．１チャンネルのオーディオアンプ等の音声増幅機器３と、例えば５．１チャンネル分のスピーカー４と、ＤＶＤプレーヤなどの音声・映像発生機器５からなるものである。
【００６２】
音声・映像発生機器５は、上述もしたように、ＤＶＤプレーヤなどのいわゆる再生機器であり、記録媒体から例えば映画などの映像信号や音声信号を読み出して、これらを処理する再生系を備えるものである。しかし、ここでは説明を簡単にするため、音声・映像発生機器５の再生系の詳細は省略する。
【００６３】
そして、音声・映像発生機器５は、記録媒体から読み出した映像信号と音声信号とを後段の音声・映像伝送機器１に供給するための映像信号出力部５１と、音声信号出力部５２とを備えている。この第１の実施の形態において、映像信号信号出力部５１はデジタル映像信号を出力するものであり、音声信号出力部５２は、デジタルオーディオインターフェース信号を出力するものである。
【００６４】
また、この音声・映像発生機器５からは、上述もしたように、映画のコンテンツなどの本来再生タイミングが合わせられて再生され、再生音声と再生画像とがずれることがないようにして再生されるべき音声信号と映像信号とが出力するようにされる。
【００６５】
また、図１において、音声・映像伝送機器１は、音声・映像発生機器５から映像信号と音声信号との供給を受けて、映像表示機器２に供給するための映像信号と、音声増幅機器３に供給するための音声信号とを形成し、これらを後段の映像表示機器２、音声増幅機器３に供給するためのものである。
【００６６】
図１に示すように、音声・映像伝送機器１は、映像入力部１１、映像信号処理部１２、映像無線送信部１３からなる映像信号処理系と、音声入力部１５、音声信号処理部１６、音声遅延部１７、音声出力部１８からなる音声信号処理系とからなり、映像信号処理系と音声信号処理系とを制御する制御部１４を備えている。
【００６７】
音声・映像伝送機器１の制御部１４には、使用者からのキー操作入力を受け付ける複数の操作キーが設けられたキー操作部１４１と、使用者からの操作入力に応じた例えば赤外線のリモコン信号を受光するリモコン信号受光部１４２とが接続されている。
【００６８】
音声・映像伝送機器１の制御部１４は、キー操作部１４１やリモコン信号受光部１４２を通じて、使用者からの指示入力を得て、これに応じて各部を制御することができるものである。ここで使用者からの指示入力は、例えば、電源のオン／オフの指示入力や映像無線送信部１３から送信する映像信号の転送レートの変更指示入力などの各種の調整のための指示入力などである。
【００６９】
また、図１において、映像表示機器２は、音声・映像伝送機器１から出力された映像信号に応じた映像を表示するための機器であり、映像無線受信部２１、映像駆動回路２２、ディスプレイ２３、制御部２４を備えたものである。この映像表示機器２の制御部２４には、使用者からのキー操作入力を受け付ける複数の操作キーが設けられたキー操作部２４１と、使用者からの操作入力に応じた例えば赤外線のリモコン信号を受光するリモコン信号受光部２４２とが接続されている。
【００７０】
映像表示機器２の制御部２４は、キー操作部２４１やリモコン信号受光部２４２を通じて、使用者からの指示入力を得て、これに応じて各部を制御することができるものである。ここで使用者からの指示入力は、例えば、電源のオン／オフの指示入力や映像についての各種の調整のための指示入力などである。
【００７１】
さらに、図１において、音声増幅機器３は、音声・映像伝送機器１から出力され音声信号を処理する部分であり、音声受信部３１、音声駆動回路３２、制御部３３を備えたものである。この音声増幅機器３の制御部３３にも使用者からのキー操作入力を受け付ける複数の操作キーが設けられたキー操作部３３１と、使用者からの操作入力に応じた例えば赤外線のリモコン信号を受光するリモコン信号受光部３３２とが接続されている。
【００７２】
音声増幅機器３の制御部３３は、キー操作部３３１やリモコン信号受光部３３２を通じて、使用者からの指示入力を得て、これに応じて各部を制御することができるものである。ここで使用者からの指示入力は、例えば、電源のオン／オフの指示入力や音声についての各種の調整のための指示入力などである。
【００７３】
また、図１に示すように、音声増幅機器３の後段にはスピーカー４が設けられている。スピーカー４は、音声増幅機器３からの音声信号の供給を受け、これに応じた音声を放音することができるものである。
【００７４】
そして、この第１の実施の形態のホームシアターシステムの場合には、図１に示すように、音声・映像発生機器５の映像信号出力部５１と音声・映像伝送機器１の映像入力部１１とは有線伝送媒体６１により接続され、音声・映像発生機器５の音声信号出力部５２と音声・映像伝送機器１の音声入力部１５とは有線伝送媒体６２により接続されている。
【００７５】
また、音声・映像伝送機器１の映像無線送信部１３と映像表示機器２の映像無線受信部２１とは、電波による無線伝送媒体６３を通じて接続され、また、音声・映像伝送機器１の音声出力部１８と音声増幅機器３の音声受信部３１とは、有線伝送媒体６４を通じて接続される。
【００７６】
このように、この第１の実施の形態においては、音声・映像伝送機器１から映像表示機器２への映像信号の伝送は電波により無線伝送されるが、それ以外の部分では映像信号、音声信号は有線伝送される。この場合、音声・映像伝送機器１から音声増幅機器３への音声信号の有線伝送に比べ、音声・映像伝送機器１から映像表示機器２への映像信号の無線伝送は、転送エラーを軽減するなどの処理のために遅くなる。
【００７７】
そこで、この第１の実施の形態のホームシアターシステムにおいては、音声・映像伝送機器５の音声信号処理系の音声信号処理部１６と音声出力部１８との間に、音声遅延部１７を設けている。この音声遅延部１７により、音声信号を遅延させて、音声・映像伝送機器１から無線伝送媒体６３を通じて映像表示機器２に伝送された映像信号と、音声・映像伝送機器１から有線伝送媒体６４を通じて音声増幅機器３に伝送された音声信号との間の位相差を低減させるようにしている。
【００７８】
［ホームシアターシステムの動作について］
以下、この第１の実施の形態のホームシアターシステムの動作について説明する。音声・映像発生機器５の映像信号出力部５１からの映像信号は、有線伝送媒体６１を通じて、音声・映像伝送機器１の映像入力部１１に供給される。映像入力部１１は、これに供給された映像信号を受け付けて、これを映像信号処理部１２に供給する。
【００７９】
映像信号処理部１２は、制御部１４からの制御に基づいて、これに供給された映像信号に対して種々の処理を施して、映像表示機器２に送信するための送信用映像信号を形成し、これを映像無線送信部１３に供給する。映像無線送信部１３は、制御部１４により制御され、映像信号処理部１２からの送信用映像信号から実際に送信する形式の映像信号を形成し、これを制御部１４からの制御に応じた転送レートで電波により無線送信する。
【００８０】
そして、音声・映像伝送機器１の映像無線送信部１３から無線送信された映像信号は、映像表示機器２の映像無線受信部２１により受信され、映像表示機器２において処理が可能な形式の信号にされた後、映像駆動回路２２に供給される。
【００８１】
映像駆動回路２２は、これに供給される映像信号からディスプレイ２３に供給してディスプレイの表示画面に映像を表示するための映像信号を形成する。映像駆動回路２２からの映像信号は、ディスプレイ２３に供給される。これにより、音声・映像発生機器５からの映像信号に応じた映像が、ディスプレイ２３の表示画面に表示される。
【００８２】
一方、音声・映像発生機器５の音声信号出力部５２からの音声信号は、有線伝送媒体６２を通じて、音声・映像伝送機器１の音声入力部１５に供給される。音声入力部１５は、これに供給された音声信号を受け付けて、これを音声信号処理部１６に供給する。
【００８３】
音声信号処理部１６は、制御部１４からの制御に基づいて、これに供給された音声信号に対して種々の処理を施し、これを音声遅延部１７に供給する。音声遅延部１７は、制御部１４からの制御に応じて、これに供給された音声信号を遅延させ、この遅延させた音声信号を音声出力部１８に供給する。音声出力部１８は、これに供給された音声信号を有線伝送媒体６４を通じて、音声増幅機器３の音声受信部３１に供給する。
【００８４】
音声増幅機器３の音声受信部３１は、これに供給された音声信号を取り込み、音声増幅機器３において処理が可能な形式の信号にした後、これを音声駆動回路３２に供給する。音声駆動回路３２は、これに供給される音声信号からスピーカー４に供給する音声信号を形成する。音声駆動回路３２からの音声信号は、スピーカー４に供給される。これにより、音声・映像発生機器５からの音声信号に応じた音声が、スピーカー４から放音される。
【００８５】
そして、上述したように、この第１の実施の形態のホームシアターシステムにおいては、音声・映像伝送機器１において、音声遅延部１７により、音声・映像伝送機器１から出力される音声信号を遅延させている。これにより、音声・映像伝送機器１から映像表示機器２に電波により無線送信された映像信号と、音声・映像伝送機器１から音声増幅機器３に有線により伝送された音声信号との位相差を低減させて、いわゆるリップシンクを軽減させるようにしている。
【００８６】
つまり、無線伝送媒体６３と有線伝送媒体６４とは、それぞれ無線と有線というように伝送媒体の種類自体がことなっており、その伝送方式が異なっている。これに起因して、本来再生タイミングだが合わされているはずの映像表示機器２に伝送された映像信号と、音声増幅機器３に伝送された音声信号との間に比較的に大きな位相差が発生する。
【００８７】
しかし、この第１の実施の形態においては、予め音声・映像伝送機器１の音声遅延部１７が、上述の位相差を軽減するように、音声信号を遅延させるので、映像表示機器２に供給された映像信号と音声増幅機器３に供給された音声信号との間に生じる位相差を低減させ、ディスプレイ２３で表示される映像とスピーカー５から放音される音声との再生タイミングがずれるいわゆるリップシンクを低減させ、リップシンクによる不快感を使用者に与えることがないようにしている。
【００８８】
なお、音声遅延部１７においての音声信号の遅延時間（遅延量）は、映像無線送信部１３から伝送される映像信号の転送レート（単位時間当たりのデータの転送量）に応じて決めることが可能であり、少なくとも人間がリップシンクの発生に気付く、平均的な音声信号と映像信号との位相差である検知限以下に、音声信号と映像信号との位相差を抑えるようにしている。具体的には、音声・映像伝送機器１から伝送された映像信号と音声信号との位相差を５０ミリ秒以下、好ましくは４５ミリ秒以下にすることにより、視聴者が検知可能なリップシンクを軽減することができる。
【００８９】
［音声遅延部１７の構成例▲１▼］
次に、図１に示したホームシアターシステムにおいては、音声・映像伝送機器１に設けるようにした音声遅延部１７の構成例について説明する。図２は、この例（構成例▲１▼）の音声遅延回路１７について説明するためのブロック図である。
【００９０】
図２に示すように、この例の音声遅延回路１７は、メモリコントローラ１７１、発振器（図２においては、ＯＳＣ（Ｏｓｃｉｌｌａｔｏｒの略称）と記載）１７２、クロックコントローラ１７３、ＰＬＬ（Ｐｈａｓｅ　Ｌｏｃｋｅｄ　Ｌｏｏｐ）部１７４、シリアル／パラレル変換部（以下、Ｓ／Ｐ変換部と略称する。）１７５、メモリ１７６、パラレル／シリアル変換部（以下、Ｐ／Ｓ変換部と略称する。）１７７を備えたものである。
【００９１】
メモリコントローラ１７１は、音声遅延部１７に供給された音声信号を音声・映像伝送機器１の制御部１４からの制御に応じて、クロックコントローラ１７３で形成するクロック信号ＣＬＫ２の周波数やＳ／Ｐ変換部１７５およびＰ／Ｓ変換部１７７の変換タイミングやメモリ１７６へのデータの書き込みとメモリ１７６からのデータの読み出しとを制御するものである。
【００９２】
図１に示した音声信号処理部１６において処理された音声信号は、図２に示すように、音声遅延部１７のＰＬＬ部１７４と、Ｓ／Ｐ変換部１７５に供給される。ここで、音声信号は、上述もしたように、デジタルオーディオインターフェース信号である。
【００９３】
デジタルオーディオインターフェース信号は、バイフェーズ・マーク変調された単一の信号であることから、デジタルオーディオインターフェース信号を適正に取り込んで、これを処理するために、受信したデジタルオーディオインターフェース信号自身から信号抽出用のクロック信号を生成することが必要である。
【００９４】
ここで、バイフェーズ・マーク変調について説明する。図３は、バイフェーズ・マーク変調を説明するための図である。図３（Ａ）は、ＮＲＺ（Ｎｏｎ　Ｒｅｔｕｒｎ−ｔｏ−Ｚｅｒｏ）符号表現のソースデータ、図３（Ｂ）は、１ビットクロックＢＣＫ、図３（Ｃ）は、図３（Ａ）のソースデータと図３（Ｂ）のＢＣＫとの加算データ、図３（Ｄ）は、変調クロック（２倍ビットクロック）２ＢＣＫ、図３（Ｅ）は、図３（Ａ）のバイフェーズ・マーク信号である。
【００９５】
図３（Ａ）に示した変調前のソースデータと、図３（Ｅ）に示したそのバイフェーズ・マーク信号とを比較すると明らかなように、バイフェーズ・マーク変調は、変調クロック２ＢＣＫの１周期をＴ（１／２ビットクロック周期）としたとき、ソースデータの「１」、「０」を、信号の“１”、“０”の反転時間が１Ｔか、２Ｔかにより表す変調方式である。図３（Ｅ）では、ソースデータの「１」は、信号の“１”、“０”の反転時間が１Ｔとして表され、ソースデータの「０」は、信号の“１”、“０”の反転時間が２Ｔとして表されている。
【００９６】
このバイフェーズ・マーク変調は、トータルとしては信号の“１”（ハイレベル期間）、“０”（ローレベル期間）の個数が等しくなり、伝送ラインのＤＣ（直流）成分を最小にでき、伝送データ信号からクロック信号の再生が容易な変調方式であるといえる。
【００９７】
このようなバイフェーズ・マーク変調されたデジタルオーディオインターフェース信号からＳ／Ｐ変換部１７５、Ｐ／Ｓ変換部１７７において用いられるクロック信号ＣＬＫ１を生成する部分が、図２に示したＰＬＬ部１７４である。このＰＬＬ部１７４は、ビット・クロックＰＬＬ方式やワード・シンクＰＬＬ方式、あるいはこれらの２ｎｄ−ＰＬＬ（セカンドＰＬＬ）を用いるダブルＰＬＬ方式などで形成することが可能である。
【００９８】
［ビット・クロックＰＬＬ方式について］
ここで、上述したビット・クロックＰＬＬ方式のＰＬＬ部の構成例と、ワード・シンクＰＬＬ方式のＰＬＬ部の構成例について説明する。まず、ビット・クロックＰＬＬ方式のＰＬＬ部の構成例について説明する。
【００９９】
図４は、ビット・クロックＰＬＬ方式で形成したＰＬＬ部を説明するためのブロック図である。図４に示すように、ビット・クロックＰＬＬ方式のＰＬＬ部は、変化点抽出部４０１、同期検出部４０２、位相比較器４０３、ＬＰＦ（Ｌｏｗ−Ｐａｓｓ　ｆｉｌｔｅｒ）４０４、ＶＣＯ（Ｖｏｌｔａｇｅ　Ｃｏｎｔｒｏｌｌｅｄ　Ｏｓｃｉｌｌａｔｏｒ）４０５、分周器（カウンタ）４０６からなり、信号の変換点から目的とするクロック信号を生成するものである。
【０１００】
なお、図４においては、分周器４０６からの変調クロック（２倍ビットクロック）２ＢＣＫと１ビットクロックＢＣＫとの供給を受けて、デジタルオーディオインターフェース信号を復調する信号復調部４０７と復調されたデジタルオーディオ信号から誤ロジック部分を検出する誤ロジック検出部４０８とを備え、デジタルオーディオインターフェース信号を復調するとともに、その復調結果に応じて、同期検出部４０２の検出処理の調整を行うことができるようにしたものである。
【０１０１】
この図４に示したビット・クロックＰＬＬ方式のＰＬＬ部の場合、構成が簡単であるために回路規模が小さくて済み、ＰＬＬ部の製造コストを比較的安価にできる点、および、信号の“１”、“０”や“０”、“１”の両変化点でＰＬＬを構成した場合にＶＣＯクロックを両信号変化点のほぼ中心に同期させることが可能であり、信号の波形変形に対する信号抽出余裕を大きくできる点などの利点がある。
【０１０２】
また、ジッター（時間軸のゆらぎ）を低減させるため、図４において、位相比較器４１１、ＬＰＦ４１２、ＶＣＯ４１３、カウンタ４１４からなる時定数の低い２ｎｄ−ＰＬＬを用いるダブルＰＬＬ方式にしてもよい。
【０１０３】
［ワード・シンクＰＬＬ方式について］
次に、ワード・シンクＰＬＬ方式のＰＬＬ部の構成例について説明する。図５は、ワード・シンクＰＬＬ方式で形成したＰＬＬ部を説明するためのブロック図である。図４に示すように、ワード・シンクＰＬＬ方式のＰＬＬ部は、同期検出部４２１、Ｆｓ検出部４２２、位相比較器４２３、ＬＰＦ４２４、ＶＣＯ４２５、水晶発振器（図５においては、ＸＴＡＬ　ＯＳＣと記載。）４２６、乗算器４２７、分周器（カウンタ）４２８からなり、信号中の同期パターンから目的とするクロック信号を生成するものである。
【０１０４】
なお、この図５においても、分周器４２８からの変調クロック（２倍ビットクロック）２ＢＣＫと１ビットクロックＢＣＫとの供給を受けて、デジタルオーディオインターフェース信号を復調する信号復調部４３０を備えるとともに、波形変形による時間歪の補正を行うための時間軸歪補正部４２９を備え、信頼性高く音声信号の復調を行うことができるようにしている。
【０１０５】
そして、図５に示したワード・シンクＰＬＬ方式のＰＬＬ部の場合、デジタルオーディオインターフェース信号中で唯一変調信号の影響を受けない３Ｔワード同期信号後エッジを基準としてＰＬＬを構成しているため、誤ロックが発生せず、クロックジッタが少ないため、シングルＰＬＬで１ビット系Ｄ／Ａの歪を防止することが可能であり、また、ＰＬＬの時定数を低くすることもできるので音質上有利である。なお、図５はシングルＰＬＬの構成としたものであるが、ダブルＰＬＬ方式の構成とすることも可能である。
【０１０６】
なお、ＰＬＬ部１７４の構成例として、ここでは上述したように、ビット・クロックＰＬＬ方式、ワード・シンクＰＬＬ方式、あるいは、これらのダブルＰＬＬ方式を用いる場合を説明したが、利用可能なＰＬＬ方式はこれらに限るものではなく、他のＰＬＬ方式、他のＰＬＬ方式のダブルＰＬＬ方式を用いることももちろん可能である。
【０１０７】
そして、図２にしたように、ＰＬＬ部１７４は、音声処理部１６から供給されるデジタルオーディオインターフェース信号から、Ｓ／Ｐ変換部１７５、Ｐ／Ｓ変換部１７７に供給するクロック信号ＣＬＫ１を生成し、これをＳ／Ｐ変換部１７５、Ｐ／Ｓ変換部１７７に供給する。
【０１０８】
また、クロックコントローラ１７３は、発振器１７２からの所定の周波数のクロック信号を基準にし、メモリコントローラ１７１からの制御に基づいて、メモリ１７６に供給するクロック信号ＣＬＫ２を生成し、これをメモリ１７６に供給する。
【０１０９】
Ｓ／Ｐ変換部１７５は、これに供給されたシリアル信号であるデジタルオーディオインターフェース信号をＰＬＬ部１７４からのクロック信号ＣＬＫ１と、メモリコントローラ１７１からの制御信号Ｓ／Ｐとに応じて、パラレル信号に変換する。
【０１１０】
Ｓ／Ｐ変換部１７５からのパラレル信号は、クロックコントローラ１７３からのクロック信号ＣＬＫ２とメモリコントローラ１７１からの制御信号ＷＲとに基づいて、メモリ１７６に書き込まれる。メモリ１７６に書き込まれたパラレル信号は、クロックコントローラ１７３からのクロック信号ＣＬＫ２とメモリコントローラ１７１からの制御信号ＲＤに基づいて、メモリ１７６から読み出され、これがＰ／Ｓ変換部１７７に供給される。
【０１１１】
Ｐ／Ｓ変換部１７７は、ＰＬＬ部１７４からのクロック信号ＣＬＫ１と、メモリコントローラ１７１からの制御信号Ｐ／Ｓとに基づいて、メモリ１７６から読み出されたパラレル信号をシリアル信号に変換して元のデジタルオーディオインターフェース信号に復元し、これを音声出力部１８に供給して、後段の音声増幅機器３に有線伝送媒体６４を通じて供給するようにする。
【０１１２】
なお、図２に示した音声遅延部１７において、Ｓ／Ｐ変換部１７５からのパラレル信号（音声信号）が、メモリ１７６に記録されている時間は、制御部１４がメモリコントローラ１７１からの制御信号Ｓ／Ｐ、Ｐ／Ｓを制御することにより決定される。制御部１４は、映像無線送信部１３から無線送信する音声信号の転送レートに応じて、音声遅延部１７における音声信号の遅延時間を制御することができるようにしている。
【０１１３】
また、図２に示した構成の音声遅延部１７の場合、Ｓ／Ｐ変換部１７５、Ｐ／Ｓ変換部１７６に供給するクロック信号ＣＬＫ１は、ＰＬＬ部１７４において、デジタルオーディオインターフェース信号に基づいて生成し、また、メモリ１７６に供給するクロック信号ＣＬＫ２は、クロックコントローラ１７３において形成する構成としている。
【０１１４】
これにより、Ｓ／Ｐ変換部１７５、Ｐ／Ｓ変換部１７７における処理、および、メモリ１７６へのデータの書き込みおよぶ読み出しを適正なタイミングで行うようにすることができ、遅延処理の対象であるデジタルオーディオインターフェース信号を劣化させることが無く、音質を低下させることもない。
【０１１５】
［音声遅延部１７の構成例▲２▼］
次に、図１に示したホームシアターシステムにおいては、音声・映像伝送機器１に設けられた音声遅延部１７の他の構成例について説明する。図６は、この他の例（構成例▲２▼）の音声遅延部１７について説明するためのブロック図である。図６に示すこの他の例の音声遅延部１７において、図２に示した音声遅延部１７と同様に構成される部分には同じ参照符号を付し、それらの説明については省略する。
【０１１６】
図６に示すこの構成例▲２▼の音声遅延部１７は、クロックコントローラ１７８と、発振器（図６においては、ＯＳＣと記載。）１７９とが設けられ、これらクロックコントローラ１７８と発振器１７９とにより、Ｐ／Ｓ変換部１７７に供給するクロック信号ＣＬＫ３が生成される。
【０１１７】
すなわち、クロックコントローラ１７８は、発振器１７９からの所定の周波数のクロック信号を基準に、メモリコントローラ１７１からの制御に基づいて、Ｐ／Ｓ変換部１７７に供給するクロック信号ＣＬＫ３を生成し、これをＰ／Ｓ変換部１７７に供給する。
【０１１８】
このように、Ｐ／Ｓ変換部１７７に供給するクロック信号ＣＬＫ３を、図２に示した構成例▲１▼のようにＰＬＬ部１７４において入力されたデジタルオーディオインターフェース信号から生成するのではなく、別途、クロックコントローラ１７８、発振器１７９を用いて生成している。
【０１１９】
これにより、メモリ１７６から読み出されて、Ｐ／Ｓ変換部１７７においてシリアル信号に変換されるパラレル信号に応じたクロック信号ＣＬＫ３を生成して、これを用いることができるので、ジッターが少なく、シリアル信号に変換されることにより元の状態に戻されたデジタルオーディオインターフェース信号による音声を高品位に再生することができるようにされる。
【０１２０】
したがって、図６に示した構成の音声遅延部１７を用いるようにすることにより、音声の高品位再生が可能なホームシアターシステムを構築することが可能となる。
【０１２１】
［音声遅延部１７の構成例▲３▼］
次に、図１に示したホームシアターシステムにおいては、音声・映像伝送機器１に設けられた音声遅延部１７の他の構成例について説明する。図７は、この他の例（構成例▲３▼）の音声遅延部１７について説明するためのブロック図である。図７に示すこの他の例の音声遅延部１７において、図２に示した音声遅延部１７と同様に構成される部分には同じ参照符号を付し、それらの説明については省略する。
【０１２２】
図７に示すように、この構成例▲３▼の音声遅延部１７は、図２に示した構成例▲１▼の音声遅延部１７とほぼ同様に構成されるものであるが、クロックコントローラ１７２に対して基準クロック信号を供給する発振器１７２を備えないものである。そして、この図７に示す構成例▲３▼の音声遅延部１７は、ＰＬＬ部１７４において生成し、Ｓ／Ｐ変換部１７５、Ｐ／Ｓ変換部１７７に供給するクロック信号ＣＬＫ１をクロックコントローラ１７２にも供給するようにしている。
【０１２３】
クロックコントローラ１７２は、ＰＬＬ部１７４において生成されたクロック信号ＣＬＫ１を基準に、メモリコントローラ１７１からの制御に基づいて、メモリ１７６に供給するクロック信号ＣＬＫ２を生成し、これをメモリ１７６に供給する。
【０１２４】
このように、この図７に示す構成例▲３▼の音声遅延部１７は、発振器（ＯＳＣ）を用いることなく、供給されたデジタルオーディオインターフェース信号からＳ／Ｐ変換部１７５、Ｐ／Ｓ変換部１７７に供給するクロック信号ＣＬＫ１を生成するとともに、このクロック信号ＣＬＫ１を基準信号として用いて、メモリ１７６に供給するクロック信号ＣＬＫ２を形成している。
【０１２５】
したがって、音声遅延部１７の構成をより簡単にすることができ、安価な音声遅延部１７を実現することができる。しかも、Ｓ／Ｐ変換部１７５、Ｐ／Ｓ変換部１７７、メモリ１７６に供給する各クロック信号ＣＬＫ１、ＣＬＫ２は、デジタルオーディオインターフェース信号から形成されるので、音声信号であるデジタルオーディオインターフェース信号の遅延処理過程において、デジタルオーディオインターフェース信号を大きく劣化させることもない。
【０１２６】
このように、この第１の実施の形態のホームシアターシステムにおいては、音声・映像伝送機器１からの映像信号は、無線伝送媒体６３を通じて映像表示機器２に伝送され、音声・映像伝送機器１からの音声信号は、有線伝送媒体６４を通じて音声増幅機器３に伝送されることに起因して発生する映像信号と音声信号の位相差を低減し、いわゆるリップシンクを目立たせることが無いようにするため、音声・映像伝送機器の音声信号処理系に音声遅延回路１７を設けている。
【０１２７】
そして、再生音声の音質を比較的に高品位に保つようにするためには、図２に示したように構成される構成例▲１▼の音声遅延部１７を用い、再生音声の音質をできる限り高品位にするためには、図６に示したように構成される構成例▲２▼の音声遅延部１７を用いるようにする。
【０１２８】
また、再生音声の高品位化の要求は高くは無く、できるだけ安価なホームシアターシステムを構築する場合には、図７に示したように構成される構成例▲３▼の音声遅延部１７を用いるようにする。このように、音声遅延部１７の構成を変えることにより、目的に応じた音声・映像伝送システムを構築することができる。
【０１２９】
また、同じ様に構成される音声遅延部１７であっても、ＰＬＬ部１７４のＰＬＬ方式を変えることにより、ＰＬＬ部１７４のコストや再生音声の高品位化の程度を異ならせることができる。
【０１３０】
例えば、再生音声の高品位化についてはある程度のレベルでよく、かつ、音声遅延部１７のコストをより安価にしたい場合には、ＰＬＬ部１７４には、図４に示したビット・クロックＰＬＬ方式のシングルＰＬＬ方式を用いるようにする。また、できるだけ音質の高品位化を図りたい場合には、図４に示したビット・クロックＰＬＬ方式のダブルＰＬＬ方式や、図５に示したワード・シンクＰＬＬ方式のシングルＰＬＬ方式、ダブルＰＬＬ方式を用いるようにする。
【０１３１】
このように、音声遅延部１７の製造コストと再生音声の高品位化という観点から最適な構成の音声遅延部１７とＰＬＬ部１７４とを選択し、いわゆるリップシンクを低減させるとともに、音質の高品位化の程度と製造コストとについても考慮してホームシアターシステムを構築することができる。
【０１３２】
［第１の実施の形態の変形例］
図１に示した第１の実施の形態のホームシアターシステムにおいては、ＡＶスイッチャー等の音声・映像伝送機器１において、音声処理部１６と音声出力部１８との間に音声遅延部１７を設けるようにした。しかし、音声遅延部１７を設ける位置は、これに限るものではなく、以下に説明するように、種々の位置に設けることが可能である。
【０１３３】
［変形例１］
図８は、第１の実施の形態のホームシアターシステムの変形例１を説明するためのブロック図である。図８において、図１に示したホームシアターシステムと同様に構成される部分には、同じ参照符号を付し、その詳細な説明については省略する。
【０１３４】
そして、図８に示すこの変形例１のホームシアターシステムと、図１に示したホームシアターシステムとを比較すると分かるように、図８に示した変形例１のホームシアターシステムは、音声信号処理部１６の前段に音声遅延部１７を設けるようにした点が、図１に示したホームシアターシステムとは異なる点である。
【０１３５】
すなわち、音声信号の遅延処理は、図１に示したように、音声増幅機器２に送信する形式にするようにした後だけでなく、音声信号処理部１６の前段において、音声増幅機器２に送信する形式にする前の音声信号に対して行うようにしてもよい。
【０１３６】
［変形例２］
図９は、第１の実施の形態のホームシアターシステムの変形例２を説明するためのブロック図である。図９において、図１に示したホームシアターシステムと同様に構成される部分には、同じ参照符号を付し、その詳細な説明については省略する。
【０１３７】
そして、図９に示した変形例２のホームシアターシステムは、図１に示したホームシアターシステムと同様に、大きく分けると、ＤＶＤプレーヤなどの音声・映像発生機器５、ＡＶスイッチャー等の音声・映像伝送機器８、ＣＲＴやプロジェクター等の映像表示機器２、５．１チャンネルのオーディオアンプ等の音声増幅機器９、スピーカー４の５つのブロックからなるものである。
【０１３８】
しかし、この図９に示した変形例２の音声・映像伝送機器８、音声増幅機器９は、図１に示したホームシアターシステムの音声・映像伝送機器１、音声増幅機器３とはその構成が異なるものである。
【０１３９】
すなわち、図９に示した変形例２の音声・映像伝送機器８は、音声遅延部１７を備えない点で図１に示した音声・映像伝送機器１とは異なるものである。また、図９に示した変形例２の音声増幅機器９は、音声受信部３１と音声駆動回路３２との間に音声遅延部９１を設けた点が、図１に示した音声増幅機器３とは異なるものである。
【０１４０】
すなわち、この変形例２の場合には、音声信号の遅延処理を音声増幅機器９に音声遅延部９１を設けることにより、音声増幅機器９において行うようにしたものである。この場合、音声増幅機器９の音声遅延部９１は、図２〜図７を用いて説明した音声遅延部１７と同様に構成することができる。
【０１４１】
この場合においても、音声信号の遅延時間は、前述した音声・映像伝送機器１の制御部１４の場合と同様に、音声増幅機器９の制御部３３が音声遅延部９１を制御することにより調整することが可能である。
【０１４２】
なお、図９に示したホームシアターシステムの場合には、音声増幅機器９の制御部３３は、音声・映像伝送機器８の制御部１４から、映像無線送信部１３から送信される映像信号の転送レートなどの情報を得ることにより、その情報に応じて音声信号の遅延時間を制御することができる。
【０１４３】
また、制御部３３は、キー操作部３３１、あるいは、リモコン信号受光部３３２を通じて得た使用者からの指示入力に応じて、音声遅延部９１における音声信号の遅延時間（遅延量）を調整するようにすることも可能である。
【０１４４】
［変形例３］
図１０は、第１の実施の形態のホームシアターシステムの変形例３を説明するためのブロック図である。図１０に示すように、この変形例３の場合には、音声・映像発生機器単独では存在せず、音声・映像発生機器と音声・映像伝送機器とが合体した形式の音声・映像伝送機器１０が用いるようにされている。
【０１４５】
つまり、図１０に示した音声・映像伝送機器１０は、映像発生部１０Ｖと音声発生部１０Ａとにより実現する音声信号と映像信号の再生機能と、映像表示機器２への映像信号の無線伝送機能と、音声増幅機器３への有線伝送機能とを有するＤＶＤプレーヤなどの再生装置である。なお、図１０において、図１に示したホームシアターシステムと同様に構成される部分には、同じ参照符号を付し、その詳細な説明については省略する。
【０１４６】
そして、図１０に示したように、音声・映像伝送機器１０、映像表示機器２、音声増幅機器３、スピーカー４により構成されるホームシアターシステムにおいても、音声・映像伝送機器１０において、音声遅延部１７により音声信号を遅延させ、無線伝送される映像信号と有線伝送される音声信号との間に生じる位相差を低減し、いわゆるリップシンクを目立たなくさせることができる。
【０１４７】
もちろん、音声遅延部１７は、図１０に示したように、音声信号処理部１６の後段に設けてもよいし、音声遅延部１７を音声信号処理部１６の前段に設けて音声信号を遅延させるようにしてもよい。また、音声・映像伝送機器１０には、音声遅延部１７を設けずに、音声増幅機器３に変えて、図９に示した音声遅延部９１を有する音声増幅機器９を用いるようにすることも可能である。
【０１４８】
図１、図８〜図１０を用いて説明したように、音声遅延部１７を備えた音声・映像伝送機器１、８、１０、音声遅延部９１を備えた音声増幅機器９のように、適宜の位置に音声遅延部１７あるいは音声遅延部９１を設けて、本来再生タイミングが合わせられているべき、無線伝送された映像信号と、有線伝送された音声信号との間の位相差を低減させリップシンクを目立たなくさせている。
【０１４９】
これにより、画像表示機器と音声増幅機器およびスピーカーとを通じてコンテンツの再生映像と再生音声との間でのリップシンクを低減させて、違和感無く再生映像と再生音声とを利用することができるようにされる。
【０１５０】
また、上述もしたように、音声遅延部１７、９１の遅延時間（遅延量）は、例えば、音声・映像伝送機器１、１０から映像表示機器２への転送レートに応じて適正な遅延時間を求め、無線伝送された映像信号と有線伝送された音声信号との間の位相差が、いわゆるリップシンクの検知限以下、具体的には、５０ミリ秒以下、好ましくは４５ミリ秒以下となるようにしている。
【０１５１】
また、音声・映像伝送機器１、７、８、１０から送信される映像信号の転送レートを例えばホームシアターシステムの使用者が手動で変更するようにすることも考えられる。例えば、ホームシアターシステムを形成した部屋の階数（地下、１階、２階、３階、…）や、ホームシアターシステムの設置環境、使用時間帯等により、干渉波などが少なく比較的良好に映像信号を無線伝送できる場合と、干渉波などが多く伝送エラーが発生しやすい場合とがある。
【０１５２】
このため、例えば、夜中の零時から午前５時までの干渉波などが少ない時間帯においては、映像信号を高速転送レートで伝送し、午前５時から昼の１２時（正午）までの比較的に干渉波が少ない時間帯においては、映像信号を中速転送レートで伝送し、正午以降、夜中の零時までは干渉波なども比較的に多く転送エラーも発生しやすいため低速転送レートで伝送するというように、映像信号の転送レートを変更するようにしたい場合が生じる。
【０１５３】
そこで、上述した各ホームシアターシステムの音声・映像伝送機器１、７、８、１０のキー操作部１４１やリモコン信号受光部１４２により受光されるリモコン信号を送信するリモコンを通じて、使用者が映像信号の転送レートを変更できるようにしておく。
【０１５４】
そして、音声・映像伝送機器１、７、８、１０の制御部１４は、映像信号の最新の転送レートに応じて、音声遅延部１７を制御し、常に適正な時間分、音声信号を遅延させるようにすることができる。
【０１５５】
なお、映像信号の転送レートの変更は、例えば、音声遅延部１７、９１が設けられる音声・映像伝送機器１や音声増幅機器９のキー操作部１４１、３３１、あるいは、リモコン信号受講部１４２、３３２により受講されるリモコン信号を送信するリモコンを通じて行うようにしておく。
【０１５６】
もちろん、音声遅延部が設けられない機器、例えば、映像表示機器２のキー操作部２４２やリモコン信号受光部２４２により受光されるリモコン信号を送信するリモコンを通じて行うことができるようにしておき、映像表示機器２から音声・映像伝送機器１、７、８、１０や音声増幅機器９に対して無線あるいは有線で送信するようにしてもよい。
【０１５７】
また、転送レートの変更は、例えば、５Ｍｂｐｓ、７Ｍｂｐｓ、９Ｍｂｐｓ、１０Ｍｂｐｓなどのように、予め決められた複数段階に変更可能としたり、あるいは、５Ｍｂｐｓ〜１０Ｍｂｐｓまでの任意の値に変更可能としたりすることが可能である。もちろん、これは例示であり、その他の値に変更できるようにすることも可能である。
【０１５８】
また、音声・映像伝送機器から送信される映像信号の転送レートを、使用者の手を介すことなく、自動的に最良と思われる転送レートに自動的に変更するようにすることも考えられる。
【０１５９】
例えば、音声・映像伝送機器１、７、８、１０において、映像信号の伝送環境（例えば電波状況等）の状況に応じて、例えば伝送環境の良好な時は映像信号の転送レートを上げて、伝送環境が劣悪な時は転送レートを下げる等の転送レートの変更を自動的に行うようにすることもできる。
【０１６０】
この場合には、例えば、映像表示機器２の映像無線受信部２１は、単に映像信号を受信する機能を有するだけで無く、音声・映像伝送機器１、７、８、１０の映像無線送信部１３からの制御信号に応じて、これに応答する応答信号や音声・映像伝送機器１、７、８、１０に対する各種の通知信号を返信できるようにしておく。
【０１６１】
また、音声・映像伝送機器１、７、８、１０の映像無線送信部１３も単に映像信号を送信するだけでなく、映像表示機器２からの応答信号や通知信号を受信し、これらを制御部１４に供給して、これに応じた制御を可能にするとともに、受信した映像表示機器２からの応答信号や通知信号についてのＳ／Ｎ比やエラーレートなどを伝送環境の状況を示す情報として検出できるようにする。
【０１６２】
この映像無線送信部１３における検出結果を制御部１４に通知することにより、Ｓ／Ｎ比が悪く、エラーレートが高い場合には、転送レートを低く抑え、逆にＳ／Ｎ比が良好で、エラーレートが低い時には、転送レートを高くするように、制御部１４が映像処理部１２を制御することにより、伝送環境の状況に応じて、最適な転送レートで映像信号を伝送することができるようにされる。
【０１６３】
そして、上述のように、自動的に変更される映像信号の転送レートに応じて、制御部１４が、音声遅延部１７を制御したり、また、音声・映像伝送機器８から音声増幅機器９の制御部３３に転送レートについての情報を提供することにより、音声増幅機器９の制御部３３が、音声遅延部９１を制御したりすることにより、自動変更される映像信号の転送レートに応じて、適切な時間分、音声信号を遅延させることができる。
【０１６４】
また、上述したように、音声・映像伝送機器からの映像信号の転送レートに応じて、音声遅延部１７、９１においての音声信号の遅延時間を自動制御するほか、使用者が手動で音声遅延部１７、９１における音声信号の遅延時間を調整できるようにしてもよい。
【０１６５】
このように、使用者の手動による遅延時間の調整を出きるようにしておくことにより、再生画像と再生音声との僅かなずれにも敏感に気付く使用者にとっても、それが気にならない程度に調整することができるようにされる。
【０１６６】
なお、使用者による音声信号の遅延時間の調整指示は、転送レートの変更の場合と同様に、例えば、音声遅延部１７、９１が設けられる音声・映像伝送機器１や音声増幅機器９のキー操作部１４１、３３１、あるいは、リモコン信号受講部１４２、３３２により受講されるリモコン信号を送信するリモコンを通じて行い、これに応じて、制御部１４、３３が音声遅延部１７、９１を制御するようにすればよい。
【０１６７】
もちろん、音声遅延部１７、９１が設けられない機器、例えば、映像表示機器２のキー操作部２４２やリモコン信号受光部２４２により受光されるリモコン信号を送信するリモコンを通じて行うことができるようにしておき、映像表示機器２から音声・映像伝送機器１、７、８、１０や音声増幅機器９に対して無線あるいは有線で送信するようにして行うことも可能である。
【０１６８】
すなわち、少なくとも、音声・映像伝送機器１、７、８、１０と映像表示機器２との間と、音声映像伝送機器１、７、８、１０と音声増幅機器３、９との間においては、単に、映像信号または音声信号が１方向に伝送されるだけでなく、例えば、音声・映像伝送機器の映像無線送信部１２は、映像表示機器２や音声増幅機器３、９からの制御信号、応答情報、各種通知信号を受信して取り込み、これを制御部１４に通知できるようにしておく。
【０１６９】
また、映像表示機器２の映像無線受信部２１、音声増幅機器３、９の音声受信部３１は、制御信号、応答情報、各種通知信号を音声・映像伝送機器１、７、８、１０に伝送しておく。このようにすることにより、各機器間で相互の制御を行うようにすることができる。
【０１７０】
［第２の実施の形態］
上述の第１の実施の形態においては、処理する音声信号は、デジタル音声信号（デジタルオーディオインターフェース信号）である場合を例にして説明した。しかし、処理する音声信号は、デジタル音声信号に限るものではない。つまり、アナログ音声信号を処理するホームシアターシステムが構築される場合もある。
【０１７１】
そこで、以下に説明するこの第２の実施の形態においては、アナログ音声信号を処理することができるようにされたホームシアターシステムに、この発明を適用した場合の例について説明する。アナログ音声信号を処理するホームシアターシステムと言っても、図１、図８、図９、図１０のそれぞれに示した第１の実施の形態のホームシアターシステムとその構成が大きく変わることはなく、各部で処理される信号がアナログ信号となり、それら各部がアナログ信号用のものとなるようにされる。
【０１７２】
そして、例えば、図１に示したように構成されるホームシアターシステムにおいて、音声・映像発生機器５から音声・映像伝送機器１に有線伝送媒体６１、６２を通じて伝送される映像信号と音声信号のうち少なくとも音声信号はアナログ音声信号であり、音声・映像伝送機器１からは、映像信号は電波により無線伝送するが、音声信号は有線伝送する場合であって、伝送された映像信号と伝送された音声信号との間に生じる位相差を低減させるために、音声遅延部１７において、音声信号を遅延させる場合について説明する。
【０１７３】
この場合、音声遅延部１７は、アナログ音声信号の供給を受け、アナログ音声信号を出力するものとすると、図１１に示すように構成することができる。図１１に示した音声遅延部と、図２に示した第１の実施の形態の音声遅延部１７と同様に構成される部分には同じ参照符号を付し、その詳細な説明は省略する。
【０１７４】
図１１に示すように、この第２の実施の形態の音声遅延部１７は、発振器１９１と、クロックコントローラ１９２、Ａ／Ｄ変換部１９３、Ｄ／Ａ変換部１９４が設けられたものである。クロックコントローラ１９２は、ＯＳＣ１９１からの基準クロック信号ＣＬＫを基準に、メモリコントローラ１７１からの制御に応じて、Ａ／Ｄ変換部１９３、Ｄ／Ａ変換部１９４に供給するクロック信号ＣＬＫ４、Ｓ／Ｐ変換部１７５に供給するクロック信号ＣＬＫ５、メモリ１７６に供給するクロック信号ＣＬＫ６、Ｐ／Ｓ変換部１７７に供給するクロック信号ＣＬＫ７のそれぞれを生成し、これを各部に供給する。
【０１７５】
Ａ／Ｄ変換部１９３は、これに供給されたアナログ音声信号をクロック信号ＣＬＫ４に応じてデジタル音声信号（シリアル信号）に変換し、変換後のデジタル音声信号をＳ／Ｐ変換部１７５に供給する。Ｓ／Ｐ変換部１７５は、これに供給されたデジタルオーディオ信号をクロック信号ＣＬＫ５とメモリコントローラ１７１からの制御信号Ｓ／Ｐに応じてパラレル信号に変換し、このパラレル信号とされたデジタルオーディオ信号を出力する。
【０１７６】
Ｓ／Ｐ変換部から出力されたパレル信号のデジタルオーディオ信号は、クロック信号ＣＬＫ６と、メモリコントローラ１７３からの制御信号ＷＲに応じてメモリ１７６に書き込まれるとともに、クロック信号ＣＬＫ６と、メモリコントローラ１７３からの制御信号ＲＤに応じてメモリ１７６から読み出され、Ｐ／Ｓ変換部１７７に供給される。
【０１７７】
Ｐ／Ｓ変換部１７７は、クロック信号ＣＬＫ７とメモリコントローラ１７１からの制御信号Ｐ／Ｓとに基づいて、メモリ１７６からのパラレル信号のデジタル音声信号をシリアル信号に変換し、これをＤ／Ａ変換部１９４に供給する。Ｄ／Ａ変換部１９４は、これに供給されたデジタル信号をクロック信号ＣＬＫ４に応じてアナログ音声信号に変換し、これを出力して後段の回路部分に供給する。
【０１７８】
このように、発振器１９１とクロックコントローラ１９２とを用いて、音声信号を処理する各部分に供給するクロック信号ＣＬＫ４〜ＣＬＫ７を形成し、これを用いるようにすることによって、アナログ音声信号であっても、無線伝送される映像信号に応じた遅延時間分遅延させることができるようにされる。
【０１７９】
この場合、遅延時間は、メモリコントローラ１７１からの制御信号Ｓ／Ｐ、Ｐ／Ｓを制御することにより調整可能である。また、メモリコントローラ１７１は、上述した第１の実施の形態の場合と同様に、制御部１４により制御するようにされ、この制御部１４は、映像信号の転送レートなどに応じて、アナログ音声信号の遅延時間を制御する。
【０１８０】
このようにして、処理する音声信号がアナログ音声信号であっても、無線伝送される映像信号の転送レートに応じて、アナログ音声信号を遅延させ、無性伝送後の映像信号と、有線伝送後の音声信号との位相差を低減し、リップシンクを低減させることができる。
【０１８１】
なお、この第２の実施の形態においては、Ａ／Ｄ変換部１９３、Ｄ／Ａ変換部１９４で共通のクロック信号ＣＬＫ４を用いるようにしたが、これに限るものではない。Ａ／Ｄ変換部１９３とＤ／Ａ変換部１９４とでそれぞれ専用のクロック信号を用いるようにしてもよい。逆に、Ｓ／Ｐ変換部１７５とＰ／Ｓ変換部１７７とでは、それぞれが専用のクロック信号を用いるようにしたが、Ｓ／Ｐ変換部１７５とＰ／Ｓ変換部１７７とで共通のクロック信号を用いるようにしてもよい。
【０１８２】
また、この第２の実施の形態においては、図１１に示した音声遅延部１７からは、アナログ音声信号を出力するようにしたが、これに限るものではなく、デジタル音声信号のまま出力して、供給先においてアナログ信号に変換するようにしてもよい。
【０１８３】
［第３の実施の形態］
ところで、映像信号は無線伝送し、音声信号は有線伝送する音声・映像伝送機器であって、デジタル信号のみに対応可能ものは、上述した第１の実施の形態において説明したように構成でき、また、アナログ信号のみに対応可能なものは、第２の実施の形態において説明したように構成できる。そして、デジタル信号、アナログ信号の両方に対応可能ないわゆるハイブリットな音声・映像伝送機器の提供も望まれる。
【０１８４】
そこで、この第３の実施の形態においては、デジタル信号、アナログ信号の両方を処理することができるようにしたホームシアターシステムに、この発明を適用した場合の例について説明する。
【０１８５】
デジタル音声信号とアナログ音声信号との両方を処理するホームシアターシステムと言っても、図１、図８、図９、図１０のそれぞれに示した第１の実施の形態のホームシアターシステムとその構成が大きく変わることはなく、各部がデジタル信号とアナログ信号とのいずれをも処理可能なものとして構成される。
【０１８６】
この場合、アナログ信号であっても、デジタル信号に変換して処理したり、あるいは、デジタル信号の処理系とアナログ信号の処理系とを有するようにして処理するようにされる。
【０１８７】
そして、本来再生タイミングが合わせられているはずの無線伝送された映像信号と有線伝送された音声信号との間に生じる位相差を低減させるために、上述もしたように、音声信号を遅延させるようにするが、この第３の実施の形態においては、音声遅延部１７も、デジタル音声信号とアナログ音声信号とのいずれを処理可能ないわゆるハイブリッドなものとして構成している。
【０１８８】
図１２は、デジタル音声信号、アナログ音声信号の両方を処理することができるようにされ、図１、図８、図９、図１０に示したように構成されるホームシアターシステムにおいて用いられる音声遅延部１７の構成例を説明するためのブロック図である。なお、図１２に示した音声遅延部において、図２、図６、図７に示した音声遅延部と同様に構成される部分には、同じ参照符号を付し、その説明については省略する。
【０１８９】
この第３の実施の形態のホームシアターシステムで用いられる音声遅延部１７は、図１２に示すように、デジタル音声信号とアナログ音声信号との２つの入力端を有するとともに、デジタル音声信号とアナログ音声信号との２つの出力端を有するものである。ここで、入力されるデジタル音声信号と出力されるデジタル音声信号とは、上述した第１の実施の形態の場合と同様に、デジタルオーディオインターフェース信号である。
【０１９０】
そして、この第３の実施の形態の音声遅延部１７は、デジタル音声信号とアナログ音声信号の両方が入力された場合は、デジタルオーディオインターフェース信号であるデジタル音声信号を優先して処理するようにしたものである。以下、図１２に沿って、この第３の実施の形態の音声遅延部１７の構成と動作について説明する。
【０１９１】
図１２に示すように、この第３の実施の形態の音声遅延部１７は、メモリコントローラ１７１、ＰＬＬ部１７４、Ｓ／Ｐ変換部１７５、遅延用のメモリ１７６、Ｐ／Ｓ変換部１７７、Ａ／Ｄ変換部１９３、Ｄ／Ａ変換部１９４、クロックコントローラ１９５、ＰＬＬロック検出回路１９６、発振器１９７、スイッチ回路ＳＷ１、ＳＷ２、ＳＷ３を備えたものである。
【０１９２】
スイッチ回路ＳＷ１、ＳＷ２、ＳＷ３のそれぞれは、処理する音声信号が、デジタル音声信号かアナログ音声信号かに応じて切り換えられるものである。また、ＰＬＬ部１７４は、デジタル音声信号の処理時において基準となるクロック信号ＣＬＫ１を生成するものであり、発振器１９７は、アナログ音声信号の処理時において基準となるクロック信号ＣＬＫ２を生成するものである。
【０１９３】
また、クロックコントローラ１９５は、基準となるクロック信号ＣＬＫ１、あるいは、クロック信号ＣＬＫ２を基準にして、各部に供給するクロック信号ＣＬＫ４、ＣＬＫ５、ＣＬＫ６、ＣＬＫ７のそれぞれを生成するものである。また、ＰＬＬロック検出回路１９６は、ＰＬＬ部１７４がロックしているか否かを検出することによって、デジタル音声信号が入力されたか否かを判別できるようにするためのものである。
【０１９４】
そして、デジタルオーディオインターフェース信号であるデジタル音声信号は、ＰＬＬ部１７４とスイッチ回路ＳＷ２の入力端ａに供給され、アナログ音声信号は、Ａ／Ｄ変換部１９３に供給される。
【０１９５】
ＰＬＬ部１７４は、上述した第１の実施の形態においても説明したように、ビット・クロックＰＬＬ方式やワード・シンクＰＬＬ方式のシングルＰＬＬ方式あるいはダブルＰＬＬ方式、あるいは、他のＰＬＬ方式により構成されたものであり、デジタルオーディオインターフェース信号であるデジタル音声信号の入力がある場合には、ＰＬＬ部１７４はロックし、デジタル音声信号の入力がない場合には、アンロックとなる。
【０１９６】
ＰＬＬロック検出回路１９６は、ＰＬＬ部１７４がロック状態にあるのか、アンロック状態にあるのかを検知して、この検知結果を制御部１４に通知する。これにより、制御部１４は、ＰＬＬロック検出回路１９６を介して、ＰＬＬ部がロック状態にあるのか、アンロック状態にあるのかを検知し、これに応じてデジタル音声信号が入力されたか否かを判別することができるようにしている。
【０１９７】
制御部１４は、ＰＬＬロック検出回路１９６からの検出結果に基づいて、デジタル音声信号が入力されたと判断したときには、スイッチ回路ＳＷ１、ＳＷ２を入力端ａ側に切り換えるとともに、スイッチ回路ＳＷ３を出力端ａ側に切り換える。これにより、この音声遅延部１７において、デジタル音声信号が処理するようにされる。
【０１９８】
上述のように、スイッチ回路ＳＷ１が入力端ａ側に切り換えられると、ＰＬＬ部１７４からのクロック信号ＣＬＫ１が、基準クロック信号ＣＬＫ３としてクロックコントローラ１９５に供給される。
【０１９９】
クロックコントローラ１９５は、スイッチ回路ＳＷ１からの基準クロック信号ＣＬＫ３を基準に、メモリコントローラからの制御に従って、Ｓ／Ｐ変換部１７５へのクロック信号ＣＬＫ５、メモリ１７６へのクロック信号ＣＬＫ６、Ｐ／Ｓ変換部１７７へのクロック信号ＣＬＫ７を生成し、これらを図１２に示すように各部に供給する。
【０２００】
また、この場合、スイッチ回路ＳＷ２は入力端ａ側に切り換えられ、スイッチ回路ＳＷ３は出力端ａ側に切り換えられているので、デジタル音声信号がＳ／Ｐ変換部１７５に供給される。
【０２０１】
そして、第１の実施の形態においても説明したように、デジタル音声信号は、Ｓ／Ｐ変換部１７５においてパラレル信号に変換され、メモリ１７６に書き込まれて一時記録された後、このメモリ１７６から読み出されてＰ／Ｓ変換部１７７に供給されて元のシリアル信号（デジタルオーディオインターフェース信号）に戻され、これがスイッチ回路ＳＷ３の出力端ａを通じて後段の回路に出力される。
【０２０２】
この際、メモリコントローラ１７１からの制御信号Ｓ／Ｐ、Ｐ／Ｓによって、Ｓ／Ｐ変換部１７５における変換速度と、Ｐ／Ｓ変換部における変換速度とが制御されて、パラレル信号がメモリ１７６に記録されている時間が制御され、デジタル音声信号が所定の遅延時間分遅延するようにされる。この遅延時間は、上述もしたように、音声信号の処理と並列して映像信号処理系において処理され、無線伝送される映像信号の転送レートに応じて、制御部１４により制御することができるようにしている。
【０２０３】
また、制御部１４は、ＰＬＬロック検出回路１９６からの検出結果に基づいて、デジタル音声信号は入力されていないと判断したときには、スイッチ回路ＳＷ１、ＳＷ２を入力端ｂ側に切り換えるとともに、スイッチ回路ＳＷ３を出力端ｂ側に切り換える。これにより、この音声遅延部１７において、アナログ音声信号が処理するようにされる。
【０２０４】
このように、スイッチ回路ＳＷ１が入力端ｂ側に切り換えられると、発振器１９７からのクロック信号ＣＬＫ２が、基準クロック信号ＣＬＫ３としてクロックコントローラ１９５に供給される。
【０２０５】
クロックコントローラ１９５は、スイッチ回路ＳＷ１からの基準クロック信号ＣＬＫ３を基準に、メモリコントローラからの制御に従って、Ａ／Ｄ変換部１９３およびＤ／Ａ変換部１９４へのクロック信号ＣＬＫ４、Ｓ／Ｐ変換部１７５へのクロック信号ＣＬＫ５、メモリ１７６へのクロック信号ＣＬＫ６、Ｐ／Ｓ変換部１７７へのクロック信号ＣＬＫ７を生成し、これらを図１２に示すように各部に供給する。
【０２０６】
また、この場合、スイッチ回路ＳＷ２は入力端ａ側に切り換えられ、スイッチ回路ＳＷ３は出力端ａ側に切り換えられているので、Ａ／Ｄ変換部１９３において、クロック信号ＣＬＫ４に基づきアナログ音声信号からデジタルのシリアル信号に変換された信号が、スイッチ回路ＳＷ２を通じてＳ／Ｐ変換部１７５に供給される。
【０２０７】
そして、アナログ音声信号からデジタルのシリアル信号に変換された音声信号が、上述したように、Ｓ／Ｐ変換部１７５、メモリ１７６、Ｐ／Ｓ変換部１７７を通じて、メモリコントローラ１７１からの制御信号Ｓ／Ｐ、Ｐ／Ｓにより所定の遅延時間分遅延するようにされた後、スイッチ回路ＳＷ３の出力端ｂを通じてＤ／Ａ変換部１９４に供給され、ここでクロック信号ＣＬＫ４に基づき元のアナログ音声信号に変換された後、後段の回路に出力される。
【０２０８】
なお、図１２に示したこの第３の実施の形態の音声遅延部１７の場合に、図６に示した音声遅延部と同様に、Ｐ／Ｓ変換部１７７に供給するクロック信号ＣＬＫ７を生成するための発振器とクロックコントローラとを設け、音声信号の時間軸のゆらぎであるジッターを低減させるようにし、音質の高品位化を実現する音声遅延部を構成することもできる。
【０２０９】
また、図１２に示した音声遅延部１７の後段に設けられる回路部分や装置に応じて、入力されたアナログ音声信号をデジタル信号に変換して遅延させるようにした場合に、アナログ信号に戻さずに変換したデジタル信号のまま出力するように構成してももちろんよい。
【０２１０】
［第３の実施の形態の他の例］
図１３は、この第３の実施の形態で用いる音声遅延部１７の他の例を説明するためのブロック図である。なお、図１３に示した音声遅延部おいて、図１２に示した音声遅延部と同様に構成される部分には、同じ参照符号を付し、その説明は省略する。
【０２１１】
そして、図１３に示すように、この例の音声遅延回路１７は、スイッチ回路ＳＷ１は備えないものであり、ＰＬＬ部１７４からのクロック信号ＣＬＫ１と、発振器１９７からのクロック信号ＣＬＫ２とが、ともにクロックコントローラ１９８に供給されるように構成したものである。
【０２１２】
クロックコントローラ１９８は、図１２に示したクロックコントローラ１９５と同様に、Ａ／Ｄ変換部１９３およびＤ／Ａ変換部１９４へのクロック信号ＣＬＫ４、Ｓ／Ｐ変換部１７５へのクロック信号ＣＬＫ５、メモリ１７６へのクロック信号ＣＬＫ６、Ｐ／Ｓ変換部１７７へのクロック信号ＣＬＫ７を生成するものである。しかし、図１２に示した音声遅延部１７のクロックコントローラ１９５と、この図１３の音声遅延部１７のクロックコントローラ１９８とは、基準クロック信号ＣＬＫ１、ＣＬＫ２の使い方が異なるものである。
【０２１３】
この図１３に示す音声遅延部１７の場合にも、ＰＬＬ部１７４がロック状態にあるかアンロック状態にあるかをＰＬＬロック検出回路１９６が検出し、これを制御部１４に通知することにより、制御部１４はデジタル音声信号が供給されたか否かを判別する。
【０２１４】
そして、制御部１４は、デジタル音声信号が供給されたと判別したときには、これをメモリコントローラ１７１に通知するとともに、スイッチ回路ＳＷ２を入力端ａ側に切り換え、スイッチ回路ＳＷ３を出力端ａ側に切り換える。
【０２１５】
この場合、メモリコントローラ１７１は、制御部１４からの通知に基づいて、デジタル音声信号を処理すると判断し、ＰＬＬ部１７４からのクロック信号ＣＬＫ１と発振器１９７からのクロック信号ＣＬＫ２とを用いて、必要なクロック信号を生成するようにクロックコントローラ１９８を制御する。
【０２１６】
クロックコントローラ１９８は、ＰＬＬ部１７４からのクロック信号ＣＬＫ１を基準にして、Ｓ／Ｐ変換部１７５へのクロック信号ＣＬＫ５とＰ／Ｓ変換部１７７へのクロック信号ＣＬＫ７とを生成するとともに、発振器１９７からのクロック信号ＣＬＫ２を基準にして、メモリ１７６へのクロック信号ＣＬＫ６を生成し、これら生成した各クロック信号を目的とする回路部分に供給する。
【０２１７】
そして、図１２を用いて説明したように、供給されたデジタル音声信号の遅延処理が、Ｓ／Ｐ変換部１７５、メモリ１７６、Ｐ／Ｓ変換部１７７を通じて行うようにされ、所定遅延時間分遅延されたデジタル音声信号が、スイッチ回路ＳＷ３の出力端ａを通じて出力され、後段の回路部分に供給されることになる。
【０２１８】
また、制御部１４は、デジタル音声信号は供給されていないと判別したときには、これをメモリコントローラ１７１に通知するとともに、スイッチ回路ＳＷ２を入力端ｂ側に切り換え、スイッチ回路ＳＷ３を出力端ｂ側に切り換える。
【０２１９】
この場合、メモリコントローラ１７１は、制御部１４からの通知に基づいて、アナログ音声信号を処理すると判断し、クロック信号ＣＬＫ２を用いて、必要なクロック信号を生成するようにクロックコントローラ１９８を制御する。
【０２２０】
クロックコントローラ１９８は、発振器１９７からのクロック信号ＣＬＫ２を基準にして、Ａ／Ｄ変換部１９３およびＤ／Ａ変換部１９４へのクロック信号ＣＬＫ４、Ｓ／Ｐ変換部１７５へのクロック信号ＣＬＫ５、メモリ１７６へのクロック信号ＣＬＫ６、Ｐ／Ｓ変換部１７７へのクロック信号ＣＬＫ７とを生成し、これら生成した各クロック信号を目的とする回路部分に供給する。
【０２２１】
そして、図１２を用いて説明したように、供給されたアナログ音声信号がＡ／Ｄ変換部１９３においてクロック信号ＣＬＫ４に基づきデジタル信号に変換された後、この変換されたデジタルに対して、Ｓ／Ｐ変換部１７５、メモリ１７６、Ｐ／Ｓ変換部１７７を通じて遅延処理が施され、所定遅延時間分遅延された信号が、スイッチ回路ＳＷ３の出力端ｂを通じて出力されてＤ／Ａ変換部１９４に供給され、ここでクロック信号ＣＬＫ４に基づいてアナログ音声信号に変換された後に、後段の回路部分に供給される。
【０２２２】
このように、この図１３に示した例の音声遅延部１７は、これに供給された音声信号が、デジタル音声信号であっても、アナログ音声信号であっても、メモリ１７６に供給するクロック信号ＣＬＫ６は、発振器１９７からの所定の周波数の基準クロック信号ＣＬＫ２を用いるようにしている。
【０２２３】
これにより、パラレル信号に変換された後の音声信号のメモリ１７６への書き込み、読み出しは、発振器１９７からのクロック信号ＣＬＫ２を基準にして生成されたクロック信号ＣＬＫ６に基づいて行うことができるので、ジッターを低減させ、音質の高品位化を実現することができる。
【０２２４】
このように、図１２、図１３に示したこの第３の実施の形態において用いられる音声遅延部１７は、デジタル音声信号とアナログ音声信号との両方の供給を受け、そのいずれに対しても適切に遅延処理を施すことができるものである。これにより、処理する音声信号、映像信号がデジタル信号であっても、アナログ信号であっても処理可能なハイブリッドなホームシアターシステムを構築することができる。
【０２２５】
なお、この図１３に示した例の音声遅延部１７の場合にも、図６に示した音声遅延部と同様に、Ｐ／Ｓ変換部１７７に供給するクロック信号ＣＬＫ７を生成するための発振器とクロックコントローラとを設け、音声信号の時間軸のゆらぎであるジッターを低減させるようにし、さらに音質の高品位化を実現する音声遅延部を構成することもできる。
【０２２６】
また、図１２に示した音声遅延部１７の後段に設けられる回路部分や装置に応じて、入力されたアナログ音声信号をデジタル信号に変換して遅延させるようにした場合に、アナログ信号に戻さずに変換したデジタル信号のまま出力するように構成してももちろんよい。
【０２２７】
なお、上述した第１、第２、第３の実施の形態においては、音声・映像伝送機器１、７、８、１０から音声増幅機器３、９への音声信号は有線伝送するものとして説明したが、有線伝送は、種々の有線伝送、例えば、デジタルの同軸信号や光信号による有線伝送などでもよい。つまり、音声信号は、種々の有線伝送媒体を通じて、電気信号、光信号として伝送することができ、このような種々の場合にこの発明を適用することができる。
【０２２８】
また、上述した第１、第２、第３の実施の形態においては、音声・映像伝送機器１、７、８、１０から映像表示機器２への映像信号は無線伝送され、音声・映像伝送機器１、７、８、１０から音声増幅機器３、９への音声信号は有線伝送する場合を例にして説明したが、これに限るものではない。
【０２２９】
例えば、音声・映像伝送機器１、７、８、１０から映像表示機器２への映像信号は電波により無線伝送し、音声・映像伝送機器１、７、８、１０から音声増幅機器３、９への音声信号は赤外線による無線伝送をするようにした場合にもこの発明を適用することができる。
【０２３０】
つまり、この発明は、単に無線伝送と有線伝送と言う場合だけでなく、電波による無線伝送と赤外線による無線伝送というように、映像信号と音声信号とを異なる伝送方式を用いて伝送する場合に適用可能であり、伝送方式の違い、あるいは、伝送方式の違いに応じて信号の処理過程が異なるなどするために、本来同期が取られて再生タイミングが合わされている２つの信号に位相差が生じてしまう場合に、早く伝送されてしまう方を両者の転送レートの差に応じて遅延させることにより、本来再生タイミングが合わされているべき映像信号と音声信号との間に生じる位相差を低減させ、再生タイミングが大きくずれる事がないようにすることができる。
【０２３１】
したがって、映像信号を電波により無線伝送し、音声信号を有線や光通信で伝送する場合、映像信号の方が情報量も多く、送信エラーに対する対応も十分に取る必要があるために、映像信号の方が音声信号よりも遅れるために、音声信号を遅延させるようにしたが、音声信号よりも映像信号の方が遅れる場合には、映像信号の方を遅延させるようにすればよいことになる。
【０２３２】
また、上述した実施の形態においては、音声・映像発生機器は、ＤＶＤプレーヤなどであると説明したが、音声・映像発生機器としては、ＤＶＤプレーヤのほか、ビデオテープレコーダ、レーザディスクプレーヤ、パーソナルコンピュータ、その他各種の音声や映像の再生装置や記録再生装置を用いることが可能である。また、テレビチューナやＩＲＤ（Ｉｎｔｅｇｒａｔｅｄ　Ｒｅｃｅｉｖｅｒ　Ｄｅｃｏｄｅｒ）などと呼ばれるデジタルテレビ放送の受信機やＳＴＢ（Ｓｅｔ−Ｔｏｐ　Ｂｏｘ）などと呼ばれるケーブルテレビ用受信機などであってもよいことはいうまでもない。
【０２３３】
また、上述した実施の形態においては、音声・映像伝送機器は、映像信号処理系と音声信号処理系の２つの処理系を備えるものとして説明したが、音声・映像伝送機器は、音声伝送機器と映像伝送機器の２つの筐体に分かれているものであってもよい。また、上述した実施の形態においては、映像表示機器と音声増幅機器とは別体のもののように表現したが、映像表示機器と音声増幅機器とは１つの筐体に納められているものであってもよい。
【０２３４】
また、この発明は、例えばＤＶＤから再生される映画の音声信号と映像信号というように、本来同期が取られており再生タイミングが合うようにされている２つの異なる信号のそれぞれを、異なる伝送方式で伝送する場合において適用可能であり、例えば、２つの異なる信号は、その情報を異ならせる２つの映像信号、その情報を異ならせる２つの音声信号、その他、種々の２つの異なる信号を伝送する場合に適用可能である。
【０２３５】
また、上述した実施の形態においては、音声信号と映像信号２いうように、２つの異なる信号を、異なる伝送方式で伝送する場合を説明したが、例えば、再生タイミングが取られているべき、２つの異なる映像信号と２つの異なる音声信号との４つの信号を同時に伝送するというように、同期が取られて再生タイミングが合わされているべき複数の信号の全部、あるいは、そのいくつかを異なる伝送方式で伝送する場合に、この発明を適用することが可能である。この場合には、もっとも遅く伝送される信号を基準にし、これよりも早く受信側に伝送されてしまう信号の処理系（伝送過程）に遅延部を設け、この遅延量を制御するようにすればよい。
【０２３６】
【発明の効果】
以上説明したように、この発明によれば、本来再生タイミングが合わされているべき映像信号と音声信号との伝送方式が異なるために発生する映像信号と音声信号の位相差を軽減することができ、従来の音声映像伝送システムにおいて課題であったリップシンクの問題を解決することができる。
【０２３７】
また、機器の製造コストや音声の品質を考慮した最適な構成で、映像信号と音声信号の位相差を軽減する音声映像伝送システム、音声映像伝送装置、音声受信装置を構成することができる。
【図面の簡単な説明】
【図１】この発明による音声映像伝送システム、音声映像伝送機器が適用されて構成された一実施の形態のホームシアターシステムを説明するためのブロック図である。
【図２】図１に示した実施の形態のホームシアターシステムで用いられる音声遅延部１７の構成例を説明するためのブロック図である。
【図３】図２に示した音声遅延部１７に供給されるデジタルオーディオインターフェース信号に施されているバイフェーズ・マーク変調について説明するための図である。
【図４】図２に示した音声遅延部１７のＰＬＬ部１７４の構成例を説明するためのブロック図である。
【図５】図２に示した音声遅延部１７のＰＬＬ部１７４の他の構成例を説明するためのブロック図である。
【図６】図１に示したホームシアターシステムの音声遅延部１７の他の構成例を説明するためのブロック図である。
【図７】図１に示したホームシアターシステムの音声遅延部１７の他の構成例を説明するためのブロック図である。
【図８】この発明による音声映像伝送システム、音声映像伝送機器が適用されて構成されたホームシアターシステムの他の例を説明するためのブロック図である。
【図９】この発明による音声映像伝送システム、音声受信装置が適用されて構成されたホームシアターシステムを説明するためのブロック図である。
【図１０】この発明による音声映像伝送システム、音声映像伝送機器が適用されて構成されたホームシアターシステムの他の例を説明するための図である。
【図１１】アナログ音声信号を処理する場合の音声遅延部１７の構成例を説明するためのブロック図である。
【図１２】デジタル音声信号とアナログ音声信号との両方の遅延処理を可能にした音声遅延部１７の構成例を説明するためのブロック図である。
【図１３】デジタル音声信号とアナログ音声信号との両方の遅延処理を可能にした音声遅延部１７の他の構成例を説明するためのブロック図である。
【図１４】音声映像伝送システムの従来例を説明するためのブロック図である。
【符号の説明】
１…音声・映像伝送機器、２…映像表示機器、３…音声増幅機器、４…スピーカー、５…音声・映像発生機器、７、８…音声・映像伝送機器、９…音声増幅機器、１０…音声・映像伝送機器、１１…映像入力部、１２…映像信号処理部、１３…映像無線送信部、１４…制御部、１４１…キー操作部、１４２…リモコン信号受光部、１５…音声入力部、１６…音声信号処理部、１７…音声遅延部、１８…音声出力部、２１…映像無線受信部、２２…映像駆動回路、２３…ディスプレイ、２４…制御部、２４１…キー操作部、２４２…リモコン信号受光部、３１…音声受信部、３２…音声駆動回路、３３…制御部、３３１…キー操作部、３３２…リモコン信号受光部、９１…音声遅延部、１０Ｖ…映像発生部、１０Ａ…音声発生部、６１、６２、６４…有線による伝送媒体、６３…電波による伝送媒体
【図１】
2004088442.tif 000003
【図２】
2004088442.tif 000004
【図３】
2004088442.tif 000005
【図４】
2004088442.tif 000006
【図５】
2004088442.tif 000007
【図６】
2004088442.tif 000008
【図７】
2004088442.tif 000009
【図８】
2004088442.tif 000010
【図９】
2004088442.tif 000011
【図１０】
2004088442.tif 000012
【図１１】
2004088442.tif 000013
【図１２】
2004088442.tif 000014
【図１３】
2004088442.tif 000015
【図１４】
2004088442.tif 000016